(57)【要約】【課題】ビルなど対象物件における異常への対応のための作業時間を短縮できる空気調和装置の遠隔管理システムを提供する。【解決手段】室内機８ａａ，８ａｂ…は、異常コード通知アプリケーション３３ａ，３３ｂ…と個体番号通知アプリケーション３４ａ，３４ｂ…を持っている。ローカルコントローラ３ａは、グループ・異常コードの対応関係情報３９を持っている。異常発報時には、室内機８ａａ，８ａｂ…からローカルコントローラ３ａを経由して遠隔管理装置４に、異常コードと共に個体番号とグループに関する情報とが通知される。さらに、遠隔管理装置４からサービスマンなどが携帯しているサービス端末６に、異常が発生している室内機の個体、異常に関連するグループ及び個体やグループに関連する情報が通知される。【選択図】図３
2010112696.tif 000002
【特許請求の範囲】
【請求項１】
室外機（７ａ，７ｂ，７ｃ，７ｄ，７ｅ…）及び前記室外機と同じ系統に属する複数の室内機（８ａａ，８ａｂ…，８ｂａ，８ｂｂ…，８ｃａ，８ｃｂ…，８ｄａ，８ｄｂ…，８ｅａ，８ｅｂ…）を有する空気調和装置（２ａ，２ｂ，２ｃ…）と、
前記空気調和装置に接続され前記空気調和装置を監視する監視装置（３ａ，３ｂ，３ｃ…，３ａＡ）と、
前記監視装置に通信回線を介して接続されている遠隔管理装置（４）とを備え、
前記空気調和装置は、前記室内機の異常を検知して異常の種別を識別するための異常識別情報を通知する異常識別情報通知手段（３２，３３ａ，３３ｂ…）と、前記室内機の個体を識別するための個体識別情報を前記異常識別情報に合わせて前記監視装置に通知する個体識別情報通知手段（３４ａ，３４ｂ…）とを持ち、
前記監視装置（３ａ，３ｂ，３ｃ…，３ａＡ）は、前記空気調和装置の運転に関して過去の運転情報を記憶する記憶部（３７，３７Ａ）を有し、異常が発生した前記室内機について、前記記憶部に記憶している前記過去の運転情報の中から取得した前記異常識別情報に関連する異常情報とともに前記個体識別情報を前記遠隔管理装置に送信し得るよう構成されている、空気調和装置の遠隔管理システム。
【請求項２】
前記監視装置は、前記室内機が属するグループと前記異常識別情報との対応関係を前記記憶部に記憶しており、前記個体識別情報及び前記対応関係に基づいて前記グループの識別情報を前記異常情報とともに前記遠隔管理装置に送信する、請求項１に記載の空気調和装置の遠隔管理システム。
【請求項３】
前記監視装置は、前記個体識別情報で識別される個体またはグループに関連のない情報を前記異常情報の中から除いて前記遠隔管理装置に送信する、請求項２に記載の空気調和装置の遠隔管理システム。
【請求項４】
前記監視装置は、同一の前記室内機を複数のグループに割り付け可能に構成されている、請求項３に記載の空気調和装置の遠隔管理システム。
【請求項５】
前記遠隔管理装置は、前記記憶部の前記対応関係を書き換えるための書換手段（４４）を有する、請求項２から４のいずれかに記載の空気調和装置の遠隔管理システム。
【請求項６】
前記遠隔管理装置に公衆回線を介して接続される、携帯可能な受信装置（６）をさらに備え、
前記遠隔管理装置は、前記個体識別情報を前記受信装置に送信する送信手段（４ａ）を有する、請求項１から５のいずれかに記載の空気調和装置の遠隔管理システム。
【請求項７】
前記室内機は、ショーケースであり、
前記異常識別情報は、前記ショーケースの特定の測定温度が所定時間に所定範囲において変動するショーケース温度異常に関するものであり、
前記グループは、前記ショーケース温度異常が発生した系統に属する前記室外機と全ての前記ショーケースとを含む、請求項２に記載の空気調和装置の遠隔管理システム。
【請求項８】
前記異常識別情報は、前記室内機の設定温度に対して前記室内機の設置箇所の室内温度が所定時間以上乖離する異常に関するものであり、
前記グループは、前記室内機の設置箇所の前記室内温度の調節に係わる全ての前記室内機を含む、請求項２に記載の空気調和装置の遠隔管理システム。
【請求項９】
前記異常識別情報は、運転スケジュールに反する異常に関するものであり、
前記グループは、前記運転スケジュールに反する異常を発生している前記室内機と同一の空間に存在する全ての前記室内機を含む、請求項２に記載の空気調和装置の遠隔管理システム。
【請求項１０】
室外機（７ａ，７ｂ，７ｃ，７ｄ，７ｅ…）及び前記室外機と同じ系統に属する複数の室内機（８ａａ，８ａｂ…，８ｂａ，８ｂｂ…，８ｃａ，８ｃｂ…，８ｄａ，８ｄｂ…，８ｅａ，８ｅｂ…）を有する空気調和装置（２ａ，２ｂ，２ｃ…）と、
前記空気調和装置に接続され、前記空気調和装置を監視する監視装置（３ａＡ）と、
前記監視装置に通信回線を介して接続されている遠隔管理装置（４）とを備え、  
前記監視装置は、前記空気調和装置の運転に関する過去の運転情報、前記室内機の異常を検知して異常の内容を判定するための異常内容判断情報および、前記室内機が属するグループと前記異常内容判断情報との対応関係を記憶する前記記憶部（３７Ａ）を有し、前記過去の運転情報と前記異常内容判断情報とを比較して異常を認識し、認識した異常に関する情報とともに前記グループの情報を前記遠隔管理装置に送信する、空気調和装置の遠隔管理システム。
【請求項１１】
空気調和装置（２ａ，２ｂ，２ｃ…）が、室内機（８ａａ，８ａｂ…，８ｂａ，８ｂｂ…，８ｃａ，８ｃｂ…，８ｄａ，８ｄｂ…，８ｅａ，８ｅｂ…）の異常を識別するための異常識別情報及び、前記室内機の個体を識別するための個体識別情報を出力する第１工程と、
前記空気調和装置に接続されている監視装置（３ａ，３ｂ，３ｃ…，３ａＡ）が、前記異常識別情報に関連する異常情報を取得する第２工程と、
前記監視装置が、通信回線を介して接続されている遠隔管理装置（４）に対し、前記前記異常情報とともに前記個体識別情報を出力する第３工程と
を備える、空気調和装置の遠隔管理方法。
【発明の詳細な説明】
【技術分野】
【０００１】
本発明は、室外機及び複数の室内機で構成された空気調和装置を管理する遠隔管理システムおよび遠隔管理方法に関し、特に、通信網を介して空気調和装置を管理する空気調和装置の遠隔管理システムおよび遠隔管理方法に関する。
【背景技術】
【０００２】
遠隔管理システムにおいては、各地に点在するビルなどの対象物件に配置された空気調和装置の管理を行うため、対象物件ごとにローカルコントローラが設けられている。例えば特許文献１（特開２００８−５１３５７号公報）には、通信回線を通じてローカルコントローラにより空気調和装置を監視するとともにローカルコントローラを介して空気調和装置に指令を与える中央管理装置を備える遠隔管理システムの例が記載されている。
【０００３】
このような遠隔管理システムを使って空気調和装置の保守・管理を行う場合、空気調和装置に異常が起きた際に空気調和装置のどこで異常が発生したかを特定することが重要である。ところで、空気調和装置の場合、異常の大半は室外機で発生する。室外機は、ビルの屋上や室外機専用の部屋に設置され、室外機の数も１系統に１〜３台程度である。そのため、異常の発生している系統が分かれば、異常の発生している室外機の特定は容易であり、異常発生箇所の特定は容易であった。
【発明の概要】
【発明が解決しようとする課題】
【０００４】
しかしながら、発生割合は少ないものの、室内機を特定しなければならない空気調和装置の異常も発生している。一般的な空気調和装置において、室内機は、一つの系統に十数台〜数十台が接続されている。しかも、一つの系統に接続された室内機が同じフロアにあるとは限らず、異なるフロアや異なる部屋に配置されることは珍しくない。そのため、異常の発生が室内機においてのものである場合には、サービスマンなどが対象物件で行う異常発生中の室内機の特定は難しく、異常への対応に時間が掛かっていた。
【０００５】
本発明の課題は、ビルなどの対象物件における異常への対応のための作業時間を短縮できる空気調和装置の遠隔管理システムを提供することにある。
【課題を解決するための手段】
【０００６】
第１発明に係る空気調和装置の遠隔管理システムは、空気調和装置と監視装置と遠隔管理装置とを備えている。空気調和装置は、室外機及び室外機と同じ系統に属する複数の室内機を有する。管理装置は、空気調和装置に接続され、空気調和装置を監視する。遠隔管理装置は、監視装置に通信回線を介して接続されている。空気調和装置は、異常識別情報通知手段と個体識別情報通知手段とを持っている。この異常識別情報通知手段は、室内機の異常を検知して異常の種別を識別するための異常識別情報を監視装置に通知する。また、個体識別情報通知手段は、室内機の個体を識別するための個体識別情報を異常識別情報に合わせて通知する。監視装置は、空気調和装置の運転に関して過去の運転情報を記憶する記憶部を有する。監視装置は、異常が発生した室内機について、記憶部に記憶している過去の運転情報の中から異常識別情報に関連する異常情報を取得する。そして、取得した異常識別情報に関連する異常情報とともに個体識別情報を監視装置は遠隔管理装置に送信することができる。
【０００７】
本発明によれば、遠隔管理装置では、監視装置の個体識別情報通知手段から通知された個体識別情報により、異常が発生した室内機の個体を識別することができる。このとき、個体識別情報が異常識別情報に合わせて通知されるため、通知された異常の発生している室内機が設置されている遠隔地で作業をするサービスマンなどに対して、遠隔管理装置のオペレータが、通知されている異常に対応する室内機を特定して指示を出すことができる。
【０００８】
第２発明に係る空気調和装置の遠隔管理システムは、第１発明の空気調和装置の遠隔管理システムであって、監視装置は、室内機が属するグループと異常識別情報との対応関係を記憶部に記憶している。記憶部に記憶されている個体識別情報及びグループと異常識別情報との対応関係に基づいてグループの識別情報を異常情報とともに遠隔管理装置に監視装置が送信する。
【０００９】
本発明によれば、記憶装置に記憶されているグループと異常情報との対応関係により、個体識別情報とともに、異常識別情報に対応したグループの識別情報を監視装置が送信できるので、空気調和装置の異常に対処するために必要な対象をグループという形態で特定することができる。それにより、異常対応作業を的確に行え、作業の迅速化が図られる。
【００１０】
第３発明に係る空気調和装置の遠隔管理システムは、第２発明の空気調和装置の遠隔管理システムであって、監視装置は、個体識別情報またはグループ識別情報で識別される個体またはグループに関連のない情報を異常情報の中から除いて遠隔管理装置に送信する。
【００１１】
本発明によれば、送信すべき異常情報の中から、異常に関係する個体やグループに関連のない情報すなわち不要な情報が監視装置により除かれるので、監視装置から遠隔管理装置に送信される情報量が削減できる。
【００１２】
第４発明に係る空気調和装置の遠隔管理システムは、第３発明の空気調和装置の遠隔管理システムであって、監視装置は、同一の室内機を複数のグループに割り付け可能に構成されている。
【００１３】
本発明によれば、監視装置により、同一の室内機を複数のグループに割り付けることで、室内機を複数のグループに重複して所属させることができる。
【００１４】
第５発明に係る空気調和装置の遠隔管理システムは、第２発明から第４発明のうちのいずれかの空気調和装置の遠隔管理システムであって、遠隔管理装置は、記憶部の対応関係を書き換えるための書換手段を有する。
【００１５】
本発明によれば、遠隔管理装置の書換手段により、グループと異常識別情報との対応関係を書き換えられるため、最初の試運転などの際に詳しく条件出しなどを行う作業を省き、必要に応じて試運転後に遠隔管理装置から書き換えを行える。
【００１６】
第６発明に係る空気調和装置の遠隔管理システムは、第１発明から第５発明のうちのいずれかの空気調和装置の遠隔管理システムであって、公衆回線を介して遠隔管理装置に接続される、携帯可能な受信装置をさらに備える。また、遠隔管理装置は、個体識別情報を受信装置に送信する送信手段を有する。
【００１７】
本発明によれば、異常の発生している現場に携帯された受信装置により、遠隔管理装置の送信手段から送られてくる個体識別情報をサービスマンなどが受信して、異常のある室内機を特定することができる。それにより、サービスマンなどは異常のある室内機の特定を迅速に行える。
【００１８】
第７発明に係る空気調和装置の遠隔管理システムは、第２発明の空気調和装置の遠隔管理システムであって、室内機は、ショーケースであり、異常識別情報は、ショーケースの特定の測定温度が所定時間に所定範囲において変動するショーケース温度異常に関するものである。また、グループは、ショーケース温度異常が発生した系統に属する室外機と全てのショーケースとを含むものである。
【００１９】
本発明によれば、ショーケース温度異常が発生したとき、その温度異常の判断の元になっている特定の測定温度が所定時間に所定範囲内において変動するものである場合、監視装置から遠隔管理装置に、ショーケース温度異常を示す異常識別情報および異常情報とともに、異常が発生しているショーケースの個体識別情報と、ショーケース温度異常が発生した系統に属する室外機および全てのショーケースを含むグループの識別情報とを送信することができる。それにより、遠隔管理装置の側では、送られてきたグループに属する室外機や他のショーケースもガス漏れなどのショーケース温度異常の兆候がないかを、室外機や他のショーケースの過去の運転情報を用いて迅速に調べることが可能になる。このように、室外機や他のショーケースの過去の運転情報を調べることは、故障の有無の判断の確度を向上させるのにも役立つ。
【００２０】
なお、ここで、特定の測定温度が所定時間に所定範囲内において変動するというのは、例えば、３０分ごとに測定されるショーケースの最低温度が６時間で２〜３度の範囲で上昇するような場合をいう。このようなゆっくりとした最低温度の変動をきたす故障の場合には、１台のショーケースだけでなく複数台のショーケースにもショーケース温度異常を示す兆候が現れることが経験則や実験などから知られている。従って、室外機や他のショーケースなどのグループの状況を分析することが、迅速で正確な判断を促進することになる。
【００２１】
第８発明に係る空気調和装置の遠隔管理システムは、第２発明の空気調和装置の遠隔管理システムであって、異常識別情報は、室内機の設定温度に対して室内機の設置箇所の室内温度が所定時間以上乖離する異常に関するものである。また、グループは、室内機の設置箇所の室内温度の調節に係わる全ての室内機を含むものである。
【００２２】
本発明によれば、室内機の設定温度に対して室内機の設置箇所の室内温度が所定時間以上乖離する異常が発生した場合、監視装置から遠隔管理装置に、設定温度から室内温度が乖離する異常を示す異常識別情報および異常情報とともに、異常が発生している室内機の個体識別情報と、室内機の設置箇所の室内温度の調節に係わる全ての室内機を含むグループの識別情報と、それらに係わる過去の運転データとを送信することができる。
【００２３】
それにより、遠隔管理装置の側では、異常を検知している室内機だけでなく、その室内機の設置箇所の室内温度調節に係わる全ての室内機を含むグループの過去の運転情報を用いて迅速に調べることが可能になる。また、室内温度調節に係わる全ての室内機の過去の運転情報を調べることで、その室内の快適性の評価が可能になる。さらに、異常が検知された室内機が所属する系統の室外機と室内機をグループに含めておくこともできる。このような同一の系統に属する室外機や室内機の運転データもあわせて分析すれば、異常原因を抽出するのに役立つ。
【００２４】
第９発明に係る空気調和装置の遠隔管理システムは、第２発明の空気調和装置の遠隔管理システムであって、異常識別情報は、運転スケジュールに反する異常に関するものである。また、グループは、運転スケジュールに反する異常を発生している室内機と同一の空間に存在する全ての室内機を含むものである。
【００２５】
本発明によれば、運転スケジュールに反する異常が発生した場合、運転スケジュールに反する異常を示す異常識別情報および異常情報とともに、異常を発生している室内機の個体識別情報と、異常を発生している室内機と同一の空間に存在する全ての室内機を含むグループの識別情報と、それらの過去の運転情報とを送信することができる。
【００２６】
それにより、遠隔管理装置の側では、異常を検知している室内機だけでなく、その室内機と同一空間に存在する全ての室内機を含むグループの過去の運転情報を用いて迅速に状況を確認することが可能になり、運転スケジュールに反する理由の分析が迅速に行え、その確度も高くなる。
【００２７】
第１０発明に係る空気調和装置の遠隔管理システムは、空気調和装置と監視装置と遠隔管理装置とを備えている。監視装置は、空気調和装置に接続されている。そして、監視装置は、空気調和装置を監視する。室外機及び室外機と同じ系統に属する複数の室内機を有する。監視装置は、遠隔管理装置は、監視装置に通信回線を介して接続されている。また、監視装置は、空気調和装置の運転に関する過去の運転情報、室内機の異常を検知して異常の内容を判定するための異常内容判断情報および、室内機が属するグループと異常内容判断情報との対応関係を記憶する記憶部を有する。そして、監視装置は、過去の運転情報と異常内容判断情報とを比較して異常を認識し、認識した異常に関する情報とともにグループの情報を遠隔管理装置に送信する。
【００２８】
本発明によれば、記憶装置に記憶されているグループと異常内容判断情報とを比較して監視装置が異常を認識し、そして、監視装置が、認識した異常に関する情報とともにグループの情報を遠隔管理装置に送信するので、空気調和装置の異常に対処するために必要な対象をグループという形態で特定することができる。それにより、異常対応作業を的確に行え、作業の迅速化が図られる。
【００２９】
第１１発明に係る空気調和装置の遠隔管理方法は、第１工程で、空気調和装置が、室内機の異常を識別するための異常識別情報及び、室内機の個体を識別するための個体識別情報を出力する。第２工程では、室内機に接続されている監視装置が、異常識別情報に関連する異常情報を取得する。第３工程では、監視装置が、通信回線を介して接続されている遠隔管理装置に対し、異常情報とともに個体識別情報を出力する。
【００３０】
本発明によれば、遠隔管理装置は、第３工程で、異常識別情報に合わせて監視装置から出力された個体識別情報により、異常が発生した室内機の個体を識別する。それにより、異常が発生している室内機が設置されている遠隔地で作業をするサービスマンなどに対して、遠隔管理装置のオペレータが、異常の室内機を特定して指示を出すことができる。
【発明の効果】
【００３１】
第１発明に係る空気調和装置の遠隔管理システムでは、遠隔管理装置から離れた遠隔地で室内機の異常に対応するサービスマンなどの作業時間を短縮することができる。
【００３２】
第２発明に係る空気調和装置の遠隔管理システムでは、異常の対応に必要なグループが特定されることで、異常対応作業を的確に行え、作業の迅速化が図られる。
【００３３】
第３発明に係る空気調和装置の遠隔管理システムでは、不要な情報の削減により通信負荷を軽減することができる。
【００３４】
第４発明に係る空気調和装置の遠隔管理システムでは、同一の室内機を異なるグループに所属させて管理できるため柔軟な管理が行える。
【００３５】
第５発明に係る空気調和装置の遠隔管理システムでは、対象物件でサービスマンなどが行う初期設定のための作業における余分な負担を軽減できる。
【００３６】
第６発明に係る空気調和装置の遠隔管理システムでは、異常処理対応現場における異常室内機の特定の迅速化により異常対応作業を短縮することができる。
【００３７】
第７発明に係る空気調和装置の遠隔管理システムでは、ショーケース温度異常の対応に必要なグループが特定されることで、ショーケース温度異常対応作業を的確に行え、作業の迅速化が図られる。
【００３８】
第８発明に係る空気調和装置の遠隔管理システムでは、室内機の設定温度に対して室内温度が所定時間以上乖離する異常の対応に必要なグループが特定されることで、異常対応作業を的確に行え、作業の迅速化が図られる。
【００３９】
第９発明に係る空気調和装置の遠隔管理システムでは、運転スケジュールに反する異常の対応に必要なグループが特定されることで、運転スケジュールに反する異常への対応作業を的確に行え、作業の迅速化が図られる。
【００４０】
第１０発明に係る空気調和装置の遠隔管理システムでは、異常が監視装置で特定され、そして異常の対応に必要なグループが特定されることで、異常対応作業を的確に行え、作業の迅速化が図られる。
【００４１】
第１１発明に係る空気調和装置の遠隔管理方法では、遠隔管理装置から離れた遠隔地での室内機の異常に対応するサービスマンなどの作業時間を短縮することができる。
【図面の簡単な説明】
【００４２】
【図１】本発明の一実施形態に係る遠隔管理システムと管理対象の接続の概要を示す図。
【図２】空気調和装置の構成を示す図。
【図３】第１実施形態に係る遠隔管理システムの構成の概要を示すブロック図。
【図４】グループを説明するための概念図。
【図５】（ａ）サービス端末の画面表示の一例を示す平面図。（ｂ）サービス端末の画面表示の他の例を示す平面図。
【図６】第２実施形態に係る遠隔管理システムの構成の概要を示すブロック図。
【図７】グループを説明するための概念図。
【発明を実施するための形態】
【００４３】
−第１実施形態−
＜管理対象と遠隔管理システム全体の構成＞
本発明の第１実施形態に係る空気調和装置とその遠隔管理システムとの接続関係と構成の概要を図１に示す。遠隔管理システム１は、ビルなどの物件Ｂ１，Ｂ２，Ｂ３…に設けられた空気調和装置２ａ，２ｂ，２ｃ…の管理を行っている。管理対象である空気調和装置２ａ，２ｂ，２ｃ…自身にも管理に用いられる制御装置が組み込まれていることから、空気調和装置２ａ，２ｂ，２ｃ…も遠隔管理システム１の中に含まれる。遠隔管理システム１は、空気調和装置２ａ，２ｂ，２ｃ…に加えて、ローカルコントローラ３ａ，３ｂ，３ｃ…と遠隔管理装置４とを備えている。
【００４４】
ローカルコントローラ３ａ，３ｂ，３ｃ…は、各物件Ｂ１，Ｂ２，Ｂ３に少なくとも１個ずつ設けられ、各物件Ｂ１，Ｂ２，Ｂ３に設置されている空気調和装置２ａ，２ｂ，２ｃ…にそれぞれ接続されている。各物件Ｂ１，Ｂ２，Ｂ３の空気調和装置２ａ，２ｂ，２ｃ…の規模が大きいような場合には、一物件当たりに複数のローカルコントローラが設けられることもある。ローカルコントローラ３ａ，３ｂ，３ｃ…は、インターネットなどの通信回線５を介して遠隔管理装置４の遠隔管理サーバ４ａに接続されている。遠隔管理装置４には、データ保管用のサーバや電子メールを送受信するためのサーバなど種々の装置が設けられるのが一般的であるが、ここでは遠隔管理システム１と直接関連する遠隔管理サーバ４ａ以外の装置の記載を省略している。
【００４５】
遠隔管理システム１においては、異常を検知した場合には、通信回線５を介して遠隔管理装置４に接続されているサービス端末６を用い、サービスマンなどの修理を行う者に対して異常に関する情報や修理に関する情報を伝達する。
【００４６】
＜空気調和装置の構成＞
まず、遠隔管理システム１の管理対象である空気調和装置２ａ，２ｂ，２ｃ…の構成について説明する。図１に示すように、空気調和装置２ａ，２ｂ，２ｃ…は、室外機７ａ，７ｂ，７ｃ，７ｄ，７ｅ…と室内機８ａａ，８ａｂ…，８ｂａ，８ｂｂ…，８ｃａ，８ｃｂ…，８ｄａ，８ｄｂ…，８ｅａ，８ｅｂ…とを含んでいる。空気調和装置の室内機とは、室内の空気調和のために設置される機器をいい、空気調和装置の室外機とは、室内機と連結されて室外の空気などとの間で熱や湿度などの交換を行う機器をいう。
【００４７】
図１に示すように、例えば、室外機７ａと室内機８ａａ，８ａｂとは連結されて、一つの系統を構成している。従って、物件Ｂ１には、３つの系統が存在し、３つの系統には３つの室外機７ａ，７ｂ，７ｃがそれぞれ連なっている。一つの物件に系統がいくつ存在するかは、物件ごとに異なっており、ここでは、物件Ｂ２，Ｂ３に各１系統ずつ存在する場合を例示している。ただし、系統は３系統よりも多い場合もあり、物件によって様々である。なお、室内機には、分離型のヒートポンプ式空気調和装置の室内機ばかりでなく、室外機と同一系統内で一緒に管理される熱交換機能付きの換気扇なども含まれる。
【００４８】
また、図１では、室外機７ａに連結されている２つの室内機８ａａ，８ａｂを描いているが、室外機７ａに連結される室内機の数も物件によって様々であり、一系統に連結される室内機が６０台程度になる場合もある。そして、同じ物件Ｂ１に設置される室内機８ａａ，８ａｂ…，８ｂａ，８ｂｂ…８ｃａ，８ｃｂ…の設置場所も様々である。例えば、同一系統に連結されている室内機８ａａ，８ａｂ…が異なる階のフロアに配置される場合もあり、異なるテナントの部屋に配置される場合もある。
【００４９】
（系統）
次に、室外機と室内機の連結について、室外機７ａと室内機８ａａ，８ａｂ…を例にとって図２を用いて説明する。図２に示すように、室外機７ａと室内機８ａａ，８ａｂ…とは、冷媒連絡配管９ａ及び通信ネットワーク１０ａによって連結されている。室外機７ａと室内機８ａａ，８ａｂ…で構成されている系統において、系統を構成するいずれかの機器に故障が発生したときには、故障の影響が冷媒を共有する系統全体に及ぶ場合がある。そのため、系統において不具合が発生した時に、通信ネットワーク１０ａで集められる室外機７ａや室内機８ａａ，８ａｂ…などの系統を構成する機器のデータ全般を解析しないと故障箇所や故障原因が特定できない場合もある。
【００５０】
（冷媒回路）
図２に示すように、室外機７ａの圧縮機１１、四路切換弁１２及び室外側熱交換器１３並びに、室内機６ａａ，６ａｂ…の膨張弁１４ａ，１４ｂ…及び室内側熱交換器１５ａ，１５ｂ…は、冷媒連絡配管９ａによって連結されて閉じたループ、すなわち冷媒回路を形成している。この冷媒回路の中を冷媒が循環する。また、冷媒と室内外の空気と間の熱交換のために、室外側熱交換器１３及び室内側熱交換器１５ａ，１５ｂ…に対して室外側ファン１６及び室内側ファン１７ａ，１７ｂ…が設けられている。
【００５１】
冷房時には、圧縮機１１で圧縮されて吐出された冷媒が四路切換弁１２を介して室外側熱交換器１３に送られる。室外側熱交換器１３では外気との熱交換が室外側ファン１６によって促進され、熱を奪われた冷媒は、冷媒連絡配管９ａを通って膨張弁１４ａ，１４ｂ…に送られる。膨張弁１４ａ，１４ｂ…で高圧液状の冷媒が低温低圧の湿り蒸気の状態に変化し、室内側熱交換器１５ａ，１５ｂ…に入る。室内側熱交換器１５ａ，１５ｂ…では室内空気との熱交換が室内側ファン１７ａ，１７ｂ…によって促進され、熱を奪って温度が上昇した冷媒は、四路切換弁１２を介して圧縮機１１に送られる。
【００５２】
暖房時には、四路切換弁１２が切り替わって、圧縮機１１で圧縮されて吐出された冷媒が室内側熱交換器１５ａ，１５ｂ…に送られる。そして、冷房時とは逆の経路をたどって、室外側熱交換器１３を出た冷媒は圧縮機１１に送られる。
【００５３】
なお、上記の説明は、室外機７ａと室内機８ａａ，８ａｂ…について行ったが、室外機７ｂと室内機８ｂａ，８ｂｂ…、室外機７ｃと室内機８ｃａ，８ｃｂ…、室外機７ｄと室内機８ｄａ，８ｄｂ…及び室外機７ｅと室内機８ｅａ，８ｅｂ…についても同様に冷媒回路が形成されている。
【００５４】
（制御用機器の配線）
空気調和装置２ａにおける空気調和の動作を正しく効率よく行わせるために、冷媒回路の室外機７ａや室内機８ａａ，８ａｂ…の各構成要素のうちのいくつかは、それぞれの機器の中に組み込まれた室外側制御部１８及び室内側制御部１９ａ，１９ｂ…によって制御される。
【００５５】
室外機７ａには、室外機７ａの各部の温度を測定するための温度センサとして、熱交換器温度センサ２０、出入口温度センサ２１、吸込側温度センサ２２、吐出側温度センサ２３及び外気温度センサ２４などが設けられており、こられの温度センサ２０〜２４で測定された温度が室外側制御部１８に伝達される。熱交換器温度センサ２０は、室外側熱交換器１３の内部の冷媒の温度を検出する。出入口温度センサ２１は、室外側熱交換器１３の出入口に設けられ、室外側熱交換器１３と室内機８ａａ，８ａｂ…との間を通う冷媒の温度を測定する。吸込側温度センサ２２は、圧縮機１１に吸い込まれる冷媒の温度を測定する。吐出側温度センサ２３は、圧縮機１１から吐出される冷媒の温度を測定する。外気温度センサ２４は、外気温度を検出する。
【００５６】
室外機７ａには、圧縮機１１に吸入される冷媒の圧力を測定するための吸入側圧力センサ２５及び、圧縮機１１から吐出される冷媒の圧力を測定するための吐出側圧力センサ２６などの圧力センサが設けられている。吸入側圧力センサ２５及び吐出側圧力センサ２６などで測定された冷媒の圧力は室外側制御部１８に伝達される。
【００５７】
また、室外機７ａにおいては、圧縮機１１のモータ、四路切換弁１２及び室外側ファン１６のモータが室外側制御部１８に接続されている。室外側制御部１８により、圧縮機１１のモータ及び室外側ファン１６のモータの回転数やオン・オフが制御され、四路切換弁１２の切替が制御され、室外側制御部１８による制御に関する制御情報も蓄積される。
【００５８】
室内機８ａａ，８ａｂ…には、室内側熱交換器１５ａ，１５ｂ…の第１出入口と第２出入口の冷媒の温度を測定するための第１温度センサ２７ａ，２７ｂ…と第２温度センサ２８ａ，２８ｂ…が設けられ、室内の温度を測定するための室内温度センサ２９ａ，２９ｂ…が設けられている。これらの温度センサ２７ａ，２７ｂ…、２８ａ，２８ｂ…，２９ａ，２９ｂ…で測定された温度が室内側制御部１９ａ，１９ｂ…に伝達される。
【００５９】
また、室内機８ａａ，８ａｂ…においては、膨張弁１４ａ，１４ｂ…や室内側ファン１７ａ，１７ｂ…のモータなどが室内側制御部１９ａ，１９ｂ…に接続されている。この室内側制御部１９ａ，１９ｂ…により、膨張弁１４ａ，１４ｂ…の開度及び室内側ファン１７ａ，１７ｂ…のモータの回転数やオン・オフなどが制御され、室内側制御部１９ａ，１９ｂ…の制御に関する制御情報も蓄積される。
【００６０】
室内側制御部１９ａ，１９ｂ…は、通信ネットワーク１０ａを介して室外側制御部１８に接続され、室外側制御部１８は通信ネットワーク１０ａを介してローカルコントローラ３ａに接続されている。そのため、室外側制御部１８や室内側制御部１９ａ，１９ｂ…で収集された温度や圧力に関するデータ及び制御情報は、ローカルコントローラ３ａを介して遠隔管理装置４に集めることが可能である。
【００６１】
＜遠隔管理システムの構成と動作＞
図３は、遠隔管理システムの構成の一部を示すブロック図である。図１に示したように、遠隔管理システム１は、複数の物件Ｂ１，Ｂ２，Ｂ３…の遠隔管理を行っているが、物件ごとの構成は類似していることから説明を簡単にするため、遠隔管理装置４と物件Ｂ１の間に構築された構成について説明する。さらに、遠隔管理装置４と物件Ｂ１の間に構築される構成において、室外機７ａと室内機８ａａ，８ａｂ…の系統、室外機７ｂと室内機８ｂａ，８ｂｂ…の系統、及び室外機７ｃと室内機８ｃａ，８ｃｂ…の系統の管理が類似することから、以下、遠隔管理システム１のうち、室内機８ａａ，８ａｂ…と室外機７ａとローカルコントローラ３ａと遠隔管理装置４とサービス端末６で形成されている部分の構成について説明する。なお、本発明の用途が、空気調和装置の異常時の対応にあることから、異常時に必要な構成と動作の説明を主に行い、通常時の動作などの説明を省略する。
【００６２】
図２において示した室外側制御部１８と室内側制御部１９ａ，１９ｂ…による各種センサを用いた室外機７ａ及び室内機８ａａ，８ａｂ…の構成機器の制御における異常検知について、図３のブロック図を用いて説明する。図３に示すように、室外機７ａの室外側制御部１８は記憶部３０を有し、室内機８ａａ，８ａｂ…の室内側制御部１９a，１９ｂ…は記憶部３１ａ，３１ｂ…を有している。記憶部３０には、異常コード通知アプリケーション３２が記憶されており、記憶部３１ａ，３１ｂ…には、異常コード通知アプリケーション３３ａ，３３b…及び個体番号通知アプリケーション３４ａ，３４ｂ…が記憶されている。異常コード通知アプリケーション３２、３３ａ，３３ｂ…は、室外側制御部１８及び室内側制御部１９ａ，１９ｂ…の温度センサ２１〜２４，２７ａ〜２９ａ，２７ｂ〜２９ｂや圧力センサ２５，２６や制御対象の各構成機器から送られてくる情報及び制御対象の各構成機器に与える情報に基づいて異常を特定し、特定した異常に対応する異常コードを特定する。異常の特定は、センサ等や制御対象の構成機器等との間の送受信情報の組み合わせが、予め記憶している、異常コードに対応する送受信情報の組み合わせと一致するか否かで行われる。個体番号通知アプリケーション３４ａ，３４ｂ…は、異常コードの通知の際に起動され、異常コードとともに異常が発生している室内機８ａａ，８ａｂ…の個体番号を付与して室外側制御部１８に送信する機能を有する。
【００６３】
なお、図３に示した室外側制御部１８及び室内側制御部１９ａ，１９ｂ…と温度センサ２０〜２４，２７ａ，２７ｂ…，２８ａ，２８ｂ…，２９ａ，２９ｂ…や圧力センサ２５，２６や制御対象の各構成機器との接続は、図２で示したこれらの接続関係と同じであるので説明を省略する。
【００６４】
室外側制御部１８及び室内側制御部１９ａ，１９ｂ…は、温度センサ２０〜２４，２７ａ，２７ｂ…，２８ａ，２８ｂ…，２９ａ，２９ｂ…と圧力センサ２５，２６、圧縮機１１、四路切換弁１２、室外側ファン１６、膨張弁１４ａ，１４ｂ…、及び室内側ファン１７ａ，１７ｂ…などから異常を示す信号を受信すると、受信した信号が示す異常を特定する。そして、異常が室内機８ａａ，８ａｂ…で発生しているなら、室内機８ａａ，８ａｂ…が室外側制御部１８を経由して、室内機８ａａ，８ａｂ…の個体番号及び特定した異常に対応する異常コードをローカルコントローラ３ａに送信する。
【００６５】
例えば、室内側ファン１７ａが送風を指示しても回転しないなどの異常があると、室内側制御部１９ａは、異常コード通知アプリケーション３３ａにより、室内側ファン１７ａのオン・オフ異常を認識し、このオン・オフ異常に対応する異常コード、例えば「ＸＸＸ００１」のようなコードを室外側制御部１８に送信する。その際、室内側制御部１９ａは、個体番号通知アプリケーションにより、室内機８ａａを示す個体番号、例えば「ＹＹ１００１」のような番号を一緒に室外側制御部１８に送信する。これら異常コードと室内機８ａａの個体番号を受信した室外側制御部１８はローカルコントローラ３ａに異常コードと個体番号を転送する。
【００６６】
例えば、異常が発生しているのが室外側ファン１６であった場合には、室外側制御部１８は、異常コード通知アプリケーション３２により、室外側ファン１６のオン・オフ異常を認識し、このオン・オフ異常に対応する異常コード、例えば「ＸＸＸ１０１」のようなコードをローカルコントローラ３ａに送信する。室外機７ａの異常の場合には、通常は、１系統に１台の室外機しか存在しないことから、異常コードの「ＸＸＸ１０１」によって、異常箇所が室外機７ａの室外側ファン１６ということを特定できる。室外機７ａの場合には従来と同様に系統が識別できれば個体を識別する必要がないことから、室内機８ａａ，８ａｂ…の個体番号通知アプリケーション３４ａ，３４ｂ…を記憶部３０に記憶させておく必要はない。ただし、個体番号通知アプリケーションを室内機８ａａ，８ａｂ…に準備しておいて、室内機８ａａ，８ａｂ…の個体番号は通知するようにしてもかまわない。
【００６７】
図３に示すように、ローカルコントローラ３ａは、通信部３５、コントローラ側制御部３６及び記憶部３７を有している。ローカルコントローラ３ａの通信部３５は、通信ネットワーク１０ａを介して室外側制御部１８とデータの送受信を行い、インターネットなどの通信回線５を介して遠隔管理装置４とデータの送受信を行う。空気調和装置２ａに異常が発生したときには、通信部３５で室外側制御部１８から送られてくる状態データや異常コードなどを受信する。状態データとしては、例えば、空気調和装置２ａの室外機７ａや室内機８ａａ，８ａｂ…の運転時間や運転回数、圧縮機１１のモータの回転数、室外側ファン１６のオン・オフや回転数、室内側ファン１７ａ，１７ｂ…のオン・オフや回転数、室内温度、室外温度、室外側熱交換器１３の温度、室内側熱交換器１５ａ，１５ｂ…の温度、圧縮機１１から吐出される冷媒の温度や圧力、圧縮機１１に吸入される冷媒の温度や圧力などがある。
【００６８】
コントローラ側制御部３６は、遠隔管理装置４からの指示に従い、空気調和装置２ａの運転状態を監視している。監視のために、コントローラ側制御部３６は、空気調和装置２ａから受信した状態データや異常コードの処理を行っている。また、コントローラ側制御部３６は、室外機７ａや室内機８ａａ，８ａｂ…のオン・オフ制御や設定温度の変更などの制御を行う場合もある。
【００６９】
ローカルコントローラ３ａの記憶部３７は、通信部３５で受信した空気調和装置２ａの状態データや異常コードなど室外機７ａ及び室内機８ａａ，８ａｂ…の状態情報３８を記憶する一方、これらの処理に必要な情報を予め記憶しており、コントローラ側制御部３６に対して出力する。また、コントローラ側制御部３６が空気調和装置２ａに対して行った制御の内容などを記憶する。
【００７０】
また、記憶部３７は、グループ・異常コードの対応関係情報３９を記憶している。グループとは同一系統の室外機７ａや室内機８ａａ，８ａｂ…から抽出されたものが属する集団であって、同一のグループには、異常が検知されたときに、異常のある室内機と共に配慮しなければならない室内機や室外機が含まれる。また、発生している異常の種類によって影響の出る範囲や配慮すべき範囲が異なることから、当然、グループに属する室内機や室外機の配分は異常コードに対応して行われている。そのため、このような異常が発生している室内機の異常コードとグループとの対応関係がグループ・異常コードの対応関係情報３９に記述されている。ローカルコントローラ３ａでは、個体番号と異常コードから、異常の発生している室内機ばかりでなく、それに関連する室内機も一つのグループとして特定する。なお、物件Ｂ１がビルの場合には、室外機７ａに属する同一系統の室内機８ａａ，８ａｂ…が異なるテナントに属するなど使用状況の観点からグループに属する室内機の配分がなされる場合もある。
【００７１】
例えば、先に説明したような室内側ファン１７ａが動作しないといった場合には、この異常の影響は室内機８ａａに限定的なものであるから、室内側ファン１７ａのオン・オフ異常を示す異常コード「ＸＸＸ００１」のグループとしては、室内側ファン１７ａが故障している室内機８ａａのみを属させておけばよい。一方、同じ室内機８ａａの異常でも、膨張弁１４ａが閉じないといった場合には、他の室内機８ａｂ…に流れる冷媒が不足して他の室内機８ａｂ…において適切な冷凍サイクルを行わせることが難しくなる場合もある。そのような場合には、室内機８ａａだけでなく他の室内機８ａｂ…を含めて、影響を調査する必要のある室内機をグルーピングする。
【００７２】
空気調和装置２ａに異常が検知されて、ローカルコントローラ３ａが遠隔管理装置４に対して異常発報を行う場合には、ローカルコントローラ３ａは、記憶部３７に記憶されている室外機・室内機の状態情報３８のうち、異常発生前３０分間の状態情報を送信する。ただし、異常コードに対応するグループが、系統の中の一部の室内機のみを含む場合には、そのグループに関連した情報に絞って状態情報の送信が行われる。異常コードに対応して状態情報をどの範囲まで送信するかもグループ・異常コードの対応関係情報３９に記述されている。
【００７３】
従って、室内機８ａａ，８ａｂ…のいずれかに異常があり、ローカルコントローラ３ａが遠隔管理装置４に異常発報を送信する場合には、異常のある室内機の個体番号、異常コード、異常コードに対応するグループコード及びそのグループに関連する状態情報が異常発報に含まれる。
【００７４】
なお、図３にはローカルコントローラ３ａのみを示しているが、図２に示したローカルコントローラ３ｂ，３ｃ…が管理においてローカルコントローラ３ａと類似の役割を果たすものであることは、系統が異なる室外機７ａ，７ｂ，７ｃ…や室内機８ａａ，８ａｂ…、８ｂａ，８ｂｂ…、８ｃａ，８ｃｂ…の管理が互いに類似するものであったのと同様である。そこで、図３において、ローカルコントローラ３ｂ，３ｃ…の記載を省略し、余分な説明を省いている。
【００７５】
遠隔管理装置４は、ローカルコントローラ３ａから異常発報を受け取ると、その異常発報を遠隔管理サーバ４ａで処理して、インターネットなどの通信回線５を介してサービスマンなどが使用するサービス端末６に情報を送る。例えば、個体番号がサービスマンに分かってもサービスマンが効率よく修理する役には立たない。サービスマンなどが物件において迅速に異常に対応するためには、個体番号で特定される室内機がどのような機種なのか、どこに設置されているのか、どのテナントが使用しているのかなどの個体番号に関連する情報が必要になる。このような情報を送るため、遠隔管理装置４は、遠隔管理サーバ４ａの記憶部４０に、個体番号で特定される室内機に関連する情報が集積されている個体番号関連情報４１、異常コードで特定される異常に関連する情報が集積されている異常コード関連情報４２、及びグループに関連する情報が集積されているグループ関連情報４３を記憶している。
【００７６】
ここで、グループの具体的な設定方法について説明する。まず、ローカルコントローラ３ａの側では、試運転時、系統毎での室外機・室内機の検出を従来と同様に行い、各系統をデフォルトのグループとして設定する。異常コードは全てデフォルトのグループに設定する。次に、ローカルコントローラ３ａ側で必要に応じて室内機１台以上を構成要素として任意のグループを作成する。このとき、デフォルトのグループから新規に作成したグループに、異常コードを移動する。試運転発報送信処理を実行するとき、作成したグループ情報も合わせて遠隔管理装置４に送信する。遠隔管理装置４では、試運転発報受信処理が実行され、作成されたグループ情報が読み込まれる。
【００７７】
グループの設定を行う場合、一つの室内機が複数のグループに属することを許容するようにする。異なる故障に起因する場合には、故障が起きた室内機が及ぼす影響も異なり、考慮すべき対象が異なる場合がある。例えば、１階フロアの室内機の膨張弁が閉まらないといった故障の場合のグループＧ１を１階フロアに配置されている室内機に割り当て、同じ１階の室内機の室内側ファンが動作しないといった故障の場合のグループＧ２を１階のフロアに配置されている異常を起こした室内機自身に割り当てると、１階のフロアの同じ室内機がグループＧ１に所属すると共にグループＧ２にも所属する。
【００７８】
また、遠隔管理装置４の遠隔管理サーバ４ａは記憶部４０を有しており、この記憶部４０に、異常コードとグループの対応関係を書き換えるためのアプリケーションであるグループ・異常コードの対応関係情報書換アプリケーション４４が記憶されている。この対応関係情報書換アプリケーション４４を起動することにより、ローカルコントローラ３ａの記憶部３７に記憶されているグループ・異常コードの対応関係情報３９を書き換えることができる。試運転時に室内機８ａａ，８ａｂ…のグループを設定しなければならないとすると、試運転時の作業が増えて空気調和装置２ａを稼動させる作業の負担が増えてしまう。そこで、遠隔管理装置４から、グループ・異常コードの対応関係情報書換アプリケーション４４により、必要に応じて、室内機１台以上で任意の新規グループの作成、既存グループの変更・削除を行うことができるようにする。対応関係情報書換アプリケーション４４により、系統の全ての室外機７ａと室内機８ａａ，８ａｂ…を含むデフォルトのグループから新たなグループを作成するとき、新規に作成するグループに適切な異常コードを設定する。例えば、空気調和装置２ａの運転状況や機種やテナントなどの状況を検討してから適切と思われるグループと異常コードとの組み合わせの選別を行う。グループの作成・変更・削除があった場合、設定情報をローカルコントローラ３ａに通知する。遠隔管理装置４からの通知を受けて、ローカルコントローラ３ａは、グループ情報（異常コード情報を含む）を更新する。
【００７９】
サービス端末６は、通信部４５、端末側制御部４６、記憶部４７及び表示部４８を有している。サービス端末６の通信部４５は、インターネットなどの通信回線５を介して遠隔管理装置４とデータの送受信を行う。空気調和装置２ａに異常が発生したときに、通信部４５では、遠隔管理装置４から送られてくる、室外機７ａ及び室内機８ａａ，８ａｂ…のうち異常に関連するものを特定するための情報及び、異常の状況や異常に対処するための情報などを受信する。端末側制御部４６は、主に、遠隔管理装置４から受信した情報を表示部４８に表示するための処理を行う。サービス端末６の記憶部４７は、遠隔管理装置４から送信されてくる情報を記憶する。
【００８０】
＜異常発報への対応＞
異常発報を受けたときの対応について、図３及び図４を用いて説明する。以下、異常への対応について、異常への対応に系統全体を考慮しなければならない場合、異常への対応にグループを考慮しなければならない場合、及び異常への対応に個別の室内機だけを修理すればよい場合に別けて説明する。
【００８１】
（系統での対応）
系統で対応しなければならない場合として、まず、室外機７ａで故障が生じた場合が考えられる。例えば、冷房時に、室外側ファン１６が動いていなかったり、室外側熱交換器１３に汚れが付着していたりして、十分に冷媒が冷却されない場合には系統全体に影響が出る。例えば、室外側ファン１６が動いていない場合には、室外機７ａの室外側制御部１８で異常を検出し、その異常に対応する異常コード「ＸＸＸ１０１」をローカルコントローラ３ａに送信する。ローカルコントローラ３ａでは、グループ・異常コードの対応関係情報３９により、異常コード「ＸＸＸ１０１」に対応するグループを特定する。この場合、図４に示す、系統全てを含むグループＧ０が特定される。また、このグループＧ０の場合には、異常発報のデータに、異常発生前３０分の全ての室外機７ａと室内機８ａａ，８ａｂ…の状態データが必要であることがグループ・異常コードの対応関係情報３９に記述されているので、ローカルコントローラ３ａは、異常コード「ＸＸＸ１０１」とともに、グループＧ０を示す情報と異常発生前３０分の状態データとを異常発報に含めて遠隔管理装置４の遠隔管理サーバ４ａに送信する。異常発報に基づいて異常の解析が行われ、遠隔管理装置４により、サービス端末６を通じてサービスマンに対して、物件Ｂ１の室外機７ａの室外側ファン１６を点検・修理するように指示が出される。この場合、室外機７ａの設置場所が限られていることから、その設置場所をサービスマンが特定するのは容易である。
【００８２】
（グループでの対応）
図４に示す室内機８ａａ，８ａｂ…、８ａｆ，８ａｇ…、８ａｍ，８ａｎ…のうち、一部の室内機８ａａ，８ａｂ…の冷房能力が十分に確保されない場合を考える。この場合、室内側制御部１９ａ，１９ｂ…のいくつかから、冷房能力不足を示す異常コード「ＸＸＸ００２」及び異常のある室内機の個体番号が室外機７ａを経由してローカルコントローラ３ａに送信される。ローカルコントローラ３ａでは、グループ・異常コードの対応関係情報３９により、異常コード「ＸＸＸ００２」に対応するグループを特定する。この場合、冷房能力が十分でないというのは室内機個別の異常に起因する可能性が高く、その点を考慮して予め記憶されている異常コードとグループの対応関係から、図４に示す室内機８ａａ，８ａｂ…を含むグループＧ１が特定される。異常コード「ＸＸＸ００２」の場合、グループＧ１が特定されると、予めグループＧ２，Ｇ３…の状態データが必要ないという情報がグループ・異常コードの対応関係情報３９に記述されているので、グループＧ２，Ｇ３…の状態データは遠隔管理装置４には送信されない。従って、ローカルコントローラ３ａは、異常コード「ＸＸＸ００２」、この異常コードを発信している室内機の個体番号、グループＧ１を示す情報、及びグループＧ１に属する室内機８ａａ，８ａｂ…と室外機７ａの異常発生前３０分の状態データを遠隔管理装置４に送信する。異常発報に基づいて異常の解析が行われ、遠隔管理装置４により、サービス端末６を通じてサービスマンに対して、物件Ｂ１のグループＧ１の室内機８ａａ，８ａｂ…を点検・修理するように指示が出される。例えば、図５（ａ）に示すように、サービス端末６の表示部４８に、グループＧ１に属する室内機８ａａ，８ａｂ…がどの場所に設置されているかが一目で分かるような表示を行う。図５（ａ）においては、斜線で示したものが異常コードを送信した室内機である。グループに属する室内機の配置場所をレイアウト画面で表示することによって、サービスマンは、異常が発生している物件において速やかに異常の原因箇所に到達できる。図３に示した個体番号関連情報４１やグループ関連情報４３とレイアウト画面の情報をリンクさせておくことで、図５（ａ）に示すようなレイアウト画面表示を行うことができる。
【００８３】
物件Ｂ１において、サービスマンは、斜線で示した室内機８ａａ…を調べ、例えば３階フロアの配管の詰まりが原因で冷媒循環量が不足しているなどの故障の原因を発見することができる。その際に、グループで表示することにより、異常コードを発信している室内機以外にもサービスマンの注意が及ぶので、異常の原因の発見が早くなることが考えられる。
【００８４】
（室内機個別の対応）
図４に示す室内機８ａａの室内側ファン１７ａにオン・オフ異常が発生した場合を考える。この場合、室内機８ａａの室内側制御部１９ａから、オン・オフ異常を示す異常コード「ＸＸＸ００１」及び異常のある室内機８ａａの個体番号が室外機７ａを経由してローカルコントローラ３ａに送信される。ローカルコントローラ３ａでは、グループ・異常コードの対応関係情報３９により、異常コード「ＸＸＸ００１」に対応するグループを特定する。この場合、室内機８ａａのみを修理すればよいことが分かっているので、その点を考慮して予め記憶されている異常コードとグループの対応関係から、図４に示す室内機８ａａのみを構成要素とするグループＧ４が特定される。異常コード「ＸＸＸ００１」の場合、グループＧ４が特定されると、予め構成機器の状態データが必要ないという情報がグループ・異常コードの対応関係情報３９に記述されているので、状態データは遠隔管理装置４には送信されない。従って、ローカルコントローラ３ａは、異常コード「ＸＸＸ００１」、この異常コードを発信している室内機の個体番号、及びグループＧ４を示す情報を遠隔管理装置４に送信する。異常発報に基づく異常の解析を省いて、遠隔管理装置４により、サービス端末６を通じてサービスマンに対して、物件Ｂ１の室内機８ａａを点検・修理するように指示が出される。例えば、図３に示した個体番号関連情報４１とレイアウト画面の情報をリンクさせておくことで、図５（ｂ）に示すように、サービス端末６の表示部４８に、室内機８ａａがどの場所に設置されているかが一目で分かるような表示を行う。
【００８５】
＜グループ化＞
以上、遠隔管理システム１における異常対策およびその異常対策でのグループの役割について説明してきた。このような異常対策で用いられるグループについては、どのようなグループ化を行ってもある程度の効果は見込める。しかし、グループ化をどのように行うかによって、遠隔管理システム１の異常対応の性能に差が生じることが考えられる。そこで、具体的な方法や例を挙げながらグループ化についてさらに詳しく説明する。
【００８６】
グループ化による効果としては次のようなものが考えられる。グループ化によって、異常が発生した機器をグループ単位で分析できるようになるため、個々の機器しか分析しない場合に比べて容易に異常の原因などが確定できるという効果が生じると考えられる。また、グループ化して異常時に送信するデータをグループのものに限るとすれば、発生した異常の分析に必要十分な機器の運転データを遠隔管理装置４に送信することができるという効果があると考えられる。それにより通信コストの最適化が図られる。
【００８７】
以上のことから導き出される結論は、グループ化を行うときには、上述の効果を最大限に引き出せるような構成要素を抽出するように行うのが好ましいということである。
【００８８】
（グループ化方法）
グループ化の方法としては、例えば次の４つのグループ化の方法が考えられる。第１の方法は、異常の内容、異常の原因あるいは異常コードによるグループ化である。この場合には、同一の異常の内容、同一の異常の原因、あるいは同一の異常コードのものを一つのグループとする。このような場合、異常を生じているものが１台ということが多いが、第１の方法に従えば、異常を生じている１台が１つのグループをつくることになる。1台が1グループをつくることにより、遠隔管理装置４やサービス端末６の側では、他の室内機などに異常の原因が存在する可能性の少ないことを認識することができ、作業の迅速化に役立つ。
【００８９】
また、同一の異常の内容や同一の異常の原因ばかりでなく、類似する異常の内容や類似する異常の原因や複数の異常コードで一つのグループをつくることもできる。類似するもの同士などでグループをつくる場合には、どのように組合せてグループをつくれば効果的かということを予め実験や過去の事例から決定する。そして、グループは、異常が起これば関連するグループのデータを送付できるように、予め、異常との関連付けが行われ、例えば図３の空気調和装置２ａの室内機8ａａ，8ａｂ…などのグループについては、ローカルコントローラ３ａの記憶部３７のグループ・異常コードの対応関係情報３９に記述される。
【００９０】
グループ化方法の第２の方法は、使用方法によるグループ化である。第２の方法では、複数の室内機を、同じように使用されているものに分類する。そして、同一の分類に一つのグループを割り当てる。このようにグループ化することで、同一グループの構成要素の正常／異常の比較によって異常の原因を特定し易くなる。例えば、同じ室内空間に設置されているもの、サーバ室に設置されているあるいはオフィスビル各階のトイレに設置されているなど機能が同じ空間（部屋）に設置されているもの、同じ系統に属するもの、またはペリメータ処理・外調処理に利用するなど用途が同じもの等を基準にグループ化する場合が考えられる。
【００９１】
グループ化方法の第３の方法は、使用時期によるグループ化である。使用時間帯、曜日、使用日時（スケジュール）などが同じものを一つのグループとする。また、第３の方法においても第１の方法と同様に、使用時期が完全に一致するものだけをグループ化する場合だけでなく、使用時期が類似するものを同一のグループに分類してもよい。例えば、オフィスビルなどでの深夜に利用される室内機を一つのグループにする場合などである。
【００９２】
グループ化方法の第４の方法は、サービス内容に係わるグループ化である。例えば、いわゆる省エネ制御サービスといわれるものが適用されるものを一つのグループとする。ここで、省エネ制御サービスとは、設定された環境にするためにできるだけエネルギー消費を少なくするような制御を予め用意されている複数の制御方法の中から選択して空気調和を実施させる制御である。省エネ制御サービスの場合、例えば設定温度と室内温度の乖離が所定値を超える場合にはエネルギーを省くことよりも快適性を重視して迅速に設定温度との差を解消するような制御に切り替えるような設定がされるのが一般的である。例えば、このような切り替えが頻繁に起こる場合には、異常として認識して運転データとともに遠隔管理装置に報告することが考えられる。その際に、省エネ制御サービスについての異常と判断された室内機をグループとして、そのグループに関連する全ての運転データを報告する。この場合に用いられるグループをつくるためのグループ化が第４の方法に該当する。この第４の方法によるグループの特徴は、ローカルコントローラ３ａなど（監視装置）が異常と判断した室内機を中心にグループ化を行う点である。この第４の方法によりグループ化されたグループについては、第１実施形態による遠隔管理システム１では、ローカルコントローラ３ａ，３ｂ，３ｃ…に異常を認識する機能がないため、ローカルコントローラ３ａ，３ｂ，３ｃ…から遠隔管理装置４に報告を行うことができない。この第４の方法によるグループの報告が可能な遠隔管理システムについては第２実施形態において説明する。
【００９３】
（グループ化の具体例）
（１）ショーケースの場合
（ｉ）ショーケースの機器接点異常の場合、発生したショーケースに異常が限定される。この場合は、第１の方法でグループ化が行われたグループが用いられる。例えば、ショーケースの機器接点異常を示す異常コードがあるのであれば、その異常コードを発生するものが一つのグループである。もし、異常を発生しているショーケースが図４の室内機８ａａ，８ａｆに相当するものであるとすると、これらのショーケースのみの過去の運転データをローカルコントローラ３ａが遠隔管理装置４に送信する。遠隔管理装置４の方では、２つのショーケースがグループ化されていることで、例えば同じ時期にメンテナンスが行われたなど両方に共通する履歴に気づき易くなり、故障の因果関係を探るのに便利である。また、異常がそれら室内機に特定のもので他の室内機を調べる必要性の小さいことが認識できるので、対象の室内機を集中的に詳細に調べて原因の特定を急ぐことができる。
【００９４】
（ｉｉ）ゆっくりとしたショーケース温度異常の場合は、ガス漏れ等、室外機や他のショーケースも関連する異常である。ゆっくりとしたショーケース温度異常とは、例えば、ショーケースの３０分ごとの最低温度が６時間で２度上昇するような異常である。この場合は、第２の方法でグループ化が行われたグループが用いられる。ショーケース温度異常に対応するグループは、同一系統に属する室外機と他のショーケースを含むものになる。もし、異常を発生しているショーケースが図４の室内機８ａａに相当するものであるとすると、室外機７ａおよびショーケース８ａａ，８ａｂ…，８ａｆ、８ａｇ…，８ａｍ，８ａｎ…の過去の運転データをローカルコントローラ３ａが遠隔管理装置４に送信する。
【００９５】
（ｉｉｉ）急激なショーケース温度異常の場合、ショーケースのドアの開放や機器の故障など、発生したショーケースでの異常と考えられる。急激なショーケースの温度異常とは、温度の閾値を１０分以上超過する場合などが該当する。このような場合には、第１の方法でグループ化が行われたグループが用いられ、上述のショーケースの場合（ｉ）と同様の処理が行われる。
【００９６】
（２）オフィスの空気調和装置の場合
（ｉ）室内機の温度センサ異常など、その室内機自身の以上の場合、第１の方法によるグループが用いられる。この場合、上述のショーケースの場合（ｉ）と同様の処理が行われ、ローカルコントローラから遠隔管理装置に該当室内機のみの運転データが送信される。
【００９７】
（ｉｉ）室内機のリモートコントローラの設定温度と吸込温度（室温）の乖離が長時間（例えば３時間以上）継続している場合、第２の方法によるグループが用いられる。この場合、同一空間の全ての室内機をグループ化することができる。このようなグループの室内機の過去の運転データを分析することで快適性を評価することができる。例えば、設定温度と吸込み温度の乖離が長時間続いているのが１台だけであれば、この室内機が存在する空間の快適性は損なわれていないと判断できる。逆に、同一空間の大半の室内機が同様の傾向を示していれば、快適性が低下していると判断できる。もし、時間を追う毎に同様の傾向を示す室内機が増えてきているのであれば、時間を追う毎に快適性が低下してきていると判断できる。
【００９８】
さらに、設定温度と吸込温度の乖離が長時間継続している原因を探る場合には、同じ系統の室外機と室内機をグループに含ませることができる。同じ系統の室外機と室内機をサブグループに含ませることにより、異常原因を抽出するときにはこのサブグループを分析する。同一系統の機器を分析することで、例えば、冷媒の循環量が不足して設定温度と吸込温度が乖離しているなどの原因の特定が容易になる。
【００９９】
（ｉｉｉ）省エネ制御サービスにより夜間空調停止スケジュールが設定され、夜間の空調電力を削減する制御が行われることがある。そして、このような夜間空調停止スケジュールの期間に室内機で異常が発生する場合がある。このような場合、例えば室内機の温度センサ異常が発生しているとすると、省エネ制御サービスが行われていなければ、第１の方法によりグループ化されたグループの過去の運転データが、例えば図３の室内機８ａａからの通知を受けてローカルコントローラ３ａから遠隔管理装置４に送信される。
【０１００】
しかし、省エネ制御サービスで夜間空調停止スケジュール中に温度センサ異常が発生するのは、室内機を停止させる制御と矛盾する。そのため、このような場合に備えて、第２の方法によるグループ化も行っておく。つまり、同一の空間の全ての室内機をグループ化する。そして、図３のローカルコントローラ３ａの記憶部３７に例えば夜間空調停止スケジュールの対象となっている室内機が記憶されている。また、ローカルコントローラ３ａのグループ・異常コードの対応関係情報３９には、同一の空間の全ての室内機を含むグループと、夜間空調停止スケジュールの対象になっている室内機について所定の異常（例えば温度センサ異常）の発生とが関連付けて記述されている。さらに、夜間空調停止スケジュールの対象になっている室内機について所定の異常が発生した場合には、第１の方法によってグループ化された所定の異常の通常のグループよりも、夜間空調停止スケジュールの対象となっている室内機の異常に関連付けられたグループを優先する処理を行うよう設定される。それにより、夜間空調停止スケジュールの対象になっている室内機について所定の異常が発生した場合、第１の方法で作成されたグループではなく、第２の方法で作成されたグループについて過去の運転データなどが例えば図３のローカルコントローラ３ａから遠隔管理装置４に送信される。遠隔管理装置４では、このグループに関するデータを用いて、夜間空調停止スケジュールで停止しているはずの室内機で異常が発生した理由について状況確認を行うことができる。
【０１０１】
（ｉｖ）定期的に発生する異常の場合、第３の方法によるグループ化を行う。この場合は、同一スケジュールの室内機を同一のグループとするグループ化を行う。しかし、定期的に異常が発生する場合、発生している異常が定期的なものであるか否かの判断を行わなければならない。そのために、例えば、図３の室内側制御部１９ａの異常コード通知アプリケーション３３ａまたはローカルコントローラ３ａの記憶部３７に記憶させたアプリケーションにより、発生した異常が定期的なものか否かの判断を行う。一例を挙げるとすれば、前回同じ室内機で同じ異常が発生した日時までの期間と、前々回同じ室内機で同じ異常が発生した日時から前回の日時までの期間とを比較して、その差が所定範囲例えば期間の１０％以内なら定期的と判断するなどである。定期的に発生している異常と判断されれば、同一スケジュールの室内機のグループの過去の運転データなどが、例えば図３のローカルコントローラ３ａから遠隔管理装置４に送信される。
【０１０２】
（ｖ）省エネ制御サービスについて解除指令が頻発し、省エネ制御サービスが提供できない状態が継続することがある。このような省エネ制御サービスの解除指令が頻発する場合には、第４の方法によるグループ化が行われる。第４の方法によるグループ化では、ローカルコントローラ3ａなどが異常と判断した室内機をグループ化する。また、サブグループとして、異常と判断された室内機と同一空間の全ての室内機をグループ化するという、第２の方法によるグループ化を合わせて行うことができる。
【０１０３】
このようなグループを用いることで、遠隔管理装置４においては、省エネ制御サービスの対象となっている室内機についての分析を行うことができる。そしてさらに、解除指令が頻発している室内機と同一空間の全ての室内機を分析することができる。さらに、その特定された室内機が属する同一空間の全ての室内機を分析することで、予想される省エネ制御サービスの解除の原因の検証を行うことができる。
【０１０４】
ただし、省エネ制御サービスについて解除指令が発せられたことは、室外側制御部１８や室内側制御部１９ａ，１９ｂ…などでは検知することができない。そのため、ローカルコントローラ３ａに、省エネ制御サービスについて解除指令が発せられたことを異常として認識するアプリケーションが必要になる。そのため、第１実施形態の遠隔管理システム１ではこのようなグループに対応することはできないので、第２実施形態に示すような構成を持つ遠隔管理システムが必要になる。
【０１０５】
−第２実施形態−
本発明の第２実施形態に係る遠隔管理システムについて図６および図７を用いて説明する。図６に示す第２実施形態の遠隔管理システム１Ａも、図３の第１実施形態の遠隔管理システム１と同様に、空気調和装置２ａの室外側制御部１８と室内側制御部１９ａ，１９ｂ…とローカルコントローラ３ａＡと遠隔管理装置４とを備えている。
【０１０６】
第２実施形態の遠隔管理システム１Ａが第１実施形態の遠隔管理システム１と異なるところは、ローカルコントローラ３ａＡの構成である。第２実施形態の遠隔管理システム１Ａにおいて、ローカルコントローラ３ａＡの構成以外のところ、すなわち管理対象と遠隔管理システム１Ａとの関係は第１実施形態とほぼ同じであり、空気調和装置２ａの構成も第１実施形態と同様である。従って、以下の説明においては、第２実施形態の遠隔管理システム１Ａのローカルコントローラ３ａＡを中心に説明する。
【０１０７】
第２実施形態のローカルコントローラ３ａＡが第１実施形態のローカルコントローラ３ａＡと構成において異なる点は、記憶部３７Ａには、第１実施形態のローカルコントローラ３ａの記憶部３７に存在しなかった異常コード通知アプリケーション５０と個体番号通知アプリケーション５１とを備えている点である。
【０１０８】
上述のグループ化のところでも説明したように、サービス内容に関してグループ化を行った場合（グループ化の第４の方法）には、サービス内容に関する異常を発生している室内機を中心にグループ化が行われる。
【０１０９】
この場合に重要な点は、サービス内容に関する情報を持たない室内側制御部１９ａ，１９ｂ…では、サービス内容に関する異常が検知できないということである。図６を用いて説明すると、サービス内容に関する情報は、ローカルコントローラ３ａＡの記憶部３７Ａに記憶されている。例えば、室内機８ａａ，８ａｂ…の中で省エネ制御サービスの対象となっている室内機は、記憶部３７Ａに記憶されており、省エネ制御サービスの設定・解除は、ローカルコントローラ３ａＡで行われる。
【０１１０】
ここでは、省エネ制御サービスが頻繁に解除される事柄を異常とする場合を例にしてサービス内容に関する異常とグループとの関係について説明する。まず、省エネ制御サービスが頻繁に解除される異常を定義して、ローカルコントローラ３ａＡで異常を検知する方方の一例を示す。ここでは、空気調和装置２ａについて一日に１０回以上省エネ制御サービスが解除される場合を異常とする。この条件は、ローカルコントローラ３ａＡの記憶部３７Ａの異常コード通知アプリケーション５０に記述されている。そのため、室内機・室外機の状態情報３８に記憶されている過去の運転データを参照して、一日に１０回の省エネ制御サービスの解除があったと判断された場合には、異常コード通知アプリケーション５０により、省エネ制御サービスにおける異常が検知される。なお、ここでは、取得したばかりの最新の運転データも、処理のためには、ローカルコントローラ３ａＡの記憶部３７に記憶されるのであるから、過去の運転データの一形態とみなしている。
【０１１１】
このような省エネ制御サービスの異常が検知されると、異常コード通知アプリケーション５０により個体番号通知アプリケーション５１が起動され、個体番号通知アプリケーション５１に異常コード通知アプリケーション５０から解除のあった室内機の情報が与えられる。それにより、個体番号通知アプリケーション５１は、省エネ制御サービスの解除のあった室内機の個体番号を通知できる状態になる。
【０１１２】
ローカルコントローラ３ａＡは、省エネ制御サービスの異常検知を受けて、この異常とグループとの対応関係を抽出する。省エネ制御サービスの異常には、異常コードが割り当てられている。ローカルコントローラ３ａＡは、省エネ制御サービスの異常コードと、個体番号通知アプリケーション５１が通知する個体番号を使って、グループ・異常コードの対応関係情報３９から対応するグループを特定する。
【０１１３】
そして、ローカルコントローラ３ａＡは、対応するグループに属する室外機と室内機の過去の運転データを室内機・室外機の状態情報３８から抽出し、グループの識別情報や異常コードや個体番号とともに、図７に示すように、遠隔管理装置４に送信する。
【０１１４】
このときのグループは、ローカルコントローラ３ａＡが異常有りと判定した室内機とその室内機が属する系統の室外機と室内機から構成される。異常が発生している室内機と同一空間の全室内機の過去の運転データを分析することで、遠隔管理装置４の側で省エネ制御サービスの解除頻発の原因についてより詳細に検討を加えることができる。
【０１１５】
第２実施形態の遠隔管理システム１Ａについて、第１実施形態で説明したように室内機８ａａなどで異常が発生した場合には、第１実施形態の遠隔管理システム１と同様の動作を行える。第１実施形態の遠隔管理システム１の全ての機能を第２実施形態の遠隔管理システム１Ａが備えているが、ここでは、説明の重複を避けるため、第２実施形態の遠隔管理システム１Ａが有する第１実施形態の遠隔管理システム１の機能については説明を省略する。
＜変形例＞
（ａ）
上記第１実施形態の説明では、グループ・異常コードの対応関係情報３９は、ローカルコントローラ３ａの記憶部３７に記憶する場合について説明したが、ローカルコントローラ３ａ以外の記憶部に持たせてもよい。例えば、遠隔管理装置４に持たせることができるが、この場合は、グループに応じて異常発報におけるデータ量の削減を行うことはできない。また、室外側制御部１８や室内側制御部１９ａ，１９ｂ…に持たせることもできるが、これらの制御用配線基板などの故障の場合が考えられる。そのため、室外機７ａと室内機８ａａ，８ａｂ…の全ての故障を関しつつグループと異常コードの対応関係を把握するには、ローカルコントローラ３ａにグループ・異常コードの対応関係情報３９を置く方が便利である。
【０１１６】
（ｂ）
上記第１実施形態では、室内機８ａａ，８ａｂ…に個体番号通知アプリケーション３４ａ，３４ｂ…を設ける場合について説明したが、室外機７ａが異常コードを通知してきた室内機８ａａ，８ａｂ…を通信ネットワーク１０ａのアドレスなどで特定できるのであれば、室外機７ａに個体番号通知アプリケーションを記憶させ、室外機７ａが個体番号を通知するようにしてもよい。
【０１１７】
（ｃ）
上記実施形態では、異常が発生している個体に関連する情報として、遠隔管理サーバ４ａが個体番号関連情報４１を、グループ関連情報４３とは別に記憶し手いる場合について説明したが、グループ関連情報４３に個体に関する情報を含ませることによって個体番号関連情報４１を省いてもよい。
＜実施形態の特徴＞
（１）
本発明の第１実施形態および第２実施形態による遠隔管理システム１，１Ａでは、個体番号通知アプリケーション３４ａ，３４ｂ…により室外側制御部１８を経由してローカルコントローラ３ａ，３ａＡ（監視装置）から送信された個体番号（個体識別情報）により、遠隔管理装置４が一つの系統に属する多数の室内機８ａａ，８ａｂ…８ｂａ，８ｂｂ…、８ｃａ，８ｃｂ…中から、異常が発生した個体を識別することができる。それにより、異常が発生している室内機８ａａが設置されている遠隔地（物件Ｂ１）で作業をするサービスマンなどに対して、遠隔管理装置４のオペレータが、異常のある例えば室内機８ａａを特定して指示を出すことができる。
【０１１８】
（２）
ローカルコントローラ３ａ，３ａＡ（監視装置）の記憶部３７，３７Ａ（記憶装置）に記憶しているグループ・異常コードの対応関係情報３９により、個体番号とともに、異常コードに対応したグループコードを送信できるので、空気調和装置２ａの異常に対処するために必要十分な識別情報を送信することができる。それにより、異常対応作業を的確に行え、作業の迅速化が図られる。
【０１１９】
（３）
ローカルコントローラ３ａ，３ａＡ（監視装置）により、異常発報に含まれる情報（異常情報）の中から、異常に関係する室内機８ａａ，８ａｂ…（個体）やグループに関連のない情報が除かれるので、ローカルコントローラ３ａ，３ａＡから遠隔管理装置４に送信される情報量が削減できる。
【０１２０】
（４）
ローカルコントローラ３ａ，３ａＡにより、同一の室内機８ａａを複数のグループＧ１，Ｇ４に割り付けることで、室内機８ａａを複数のグループＧ１，Ｇ４に重複して所属させることができる。このように一つの室内機８ａａを同時に複数のグループＧ１，Ｇ４に所属させるようにすることで、異常の種類や発生状況に合わせた柔軟な対応が可能になる。
【０１２１】
（５）
遠隔管理装置４のグループ・異常コードの対応関係情報書換アプリケーション４４（書換手段）により、グループと異常コード（異常識別情報）との対応関係を書き換えられるため、最初の試運転などの際に詳しく条件出しなどを行う作業を省き、必要に応じて試運転後に遠隔管理装置４から書き換えを行える。
【０１２２】
（６）
サービス端末６（受信装置）により、遠隔管理装置４の遠隔管理サーバ４ａ（送信手段）から送られてくる個体番号（個体識別情報）をサービスマンなどが受信して、異常のある室内機８ａａ，８ａｂ…を特定することができる。それにより、サービスマンなどは異常のある室内機の特定を迅速に行える。特に、個体番号に関連する個体番号関連情報４１にも続いて個体番号が示す室内機の状況を通知することがサービスマンの理解を助けるのに効果的である。
【符号の説明】
【０１２３】
１，１Ａ  遠隔管理システム
２ａ，２ｂ，２ｃ  空気調和装置
３ａ，３ｂ，３ｃ，３ａＡ  ローカルコントローラ（監視装置）
４  遠隔管理装置
５  通信回線
６  サービス端末（受信手段）
７ａ，７ｂ，７ｃ，７ｄ，７ｅ  室外機
８ａａ，８ａｂ，８ｂａ、８ｂｂ、８ｃａ、８ｃｂ，８ｄａ，８ｄｂ，８ｅａ，８ｅｂ  室内機
【先行技術文献】
【特許文献】
【０１２４】
【特許文献１】特開２００８−５１３５７号公報
【図１】
2010112696.tif 000003
【図２】
2010112696.tif 000004
【図３】
2010112696.tif 000005
【図４】
2010112696.tif 000006
【図５】
2010112696.tif 000007
【図６】
2010112696.tif 000008
【図７】
2010112696.tif 000009
【手続補正書】
【提出日】平成22年2月18日(2010.2.18)
【手続補正１】
【補正対象書類名】特許請求の範囲
【補正対象項目名】全文
【補正方法】変更
【補正の内容】
【特許請求の範囲】
【請求項１】
室外機（７ａ，７ｂ，７ｃ，７ｄ，７ｅ…）及び前記室外機と同じ系統に属する複数の室内機（８ａａ，８ａｂ…，８ｂａ，８ｂｂ…，８ｃａ，８ｃｂ…，８ｄａ，８ｄｂ…，８ｅａ，８ｅｂ…）を有する空気調和装置（２ａ，２ｂ，２ｃ…）と、
前記空気調和装置に接続され前記空気調和装置を監視する監視装置（３ａ，３ｂ，３ｃ…，３ａＡ）と、
前記監視装置に通信回線を介して接続されている遠隔管理装置（４）とを備え、
前記空気調和装置は、前記室内機の異常を検知して異常の種別を識別するための異常識別情報を通知する異常識別情報通知手段（３２，３３ａ，３３ｂ…）と、前記室内機の個体を識別するための個体識別情報を前記異常識別情報に合わせて前記監視装置に通知する個体識別情報通知手段（３４ａ，３４ｂ…）とを持ち、
前記監視装置（３ａ，３ｂ，３ｃ…，３ａＡ）は、前記空気調和装置の運転に関して過去の運転情報を記憶する記憶部（３７，３７Ａ）を有し、異常が発生した前記室内機について、前記記憶部に記憶している前記過去の運転情報の中から取得した前記異常識別情報に関連する異常情報とともに前記個体識別情報を前記遠隔管理装置に送信し得るよう構成され、前記室内機が属するグループと前記異常識別情報との対応関係を前記記憶部に記憶しており、前記個体識別情報及び前記対応関係に基づいて前記グループの識別情報を前記異常情報とともに前記遠隔管理装置に送信し、
前記グループが、異常の要因によりあらかじめ分類され且つ異常に対処するために必要な対象である前記室内機及び／又は前記室外機からなる、空気調和装置の遠隔管理システム。
【請求項２】
前記監視装置は、前記個体識別情報で識別される個体またはグループに関連のない情報を前記異常情報の中から除いて前記遠隔管理装置に送信する、請求項１に記載の空気調和装置の遠隔管理システム。
【請求項３】
前記監視装置は、同一の前記室内機を複数のグループに割り付け可能に構成されている、請求項２に記載の空気調和装置の遠隔管理システム。
【請求項４】
前記遠隔管理装置は、前記記憶部の前記対応関係を書き換えるための書換手段（４４）を有する、請求項１から３のいずれかに記載の空気調和装置の遠隔管理システム。
【請求項５】
前記遠隔管理装置に公衆回線を介して接続される、携帯可能な受信装置（６）をさらに備え、
前記遠隔管理装置は、前記個体識別情報を前記受信装置に送信する送信手段（４ａ）を有する、請求項１から４のいずれかに記載の空気調和装置の遠隔管理システム。
【請求項６】
前記室内機は、ショーケースであり、
前記異常識別情報は、前記ショーケースの特定の測定温度が所定時間に所定範囲において変動するショーケース温度異常に関するものであり、
前記グループは、前記ショーケース温度異常が発生した系統に属する前記室外機と全ての前記ショーケースとを含む、請求項１に記載の空気調和装置の遠隔管理システム。
【請求項７】
前記異常識別情報は、前記室内機の設定温度に対して前記室内機の設置箇所の室内温度が所定時間以上乖離する異常に関するものであり、
前記グループは、前記室内機の設置箇所の前記室内温度の調節に係わる全ての前記室内機を含む、請求項１に記載の空気調和装置の遠隔管理システム。
【請求項８】
室外機（７ａ，７ｂ，７ｃ，７ｄ，７ｅ…）及び前記室外機と同じ系統に属する複数の室内機（８ａａ，８ａｂ…，８ｂａ，８ｂｂ…，８ｃａ，８ｃｂ…，８ｄａ，８ｄｂ…，８ｅａ，８ｅｂ…）を有する空気調和装置（２ａ，２ｂ，２ｃ…）と、
前記空気調和装置に接続され、前記空気調和装置を監視する監視装置（３ａＡ）と、
前記監視装置に通信回線を介して接続されている遠隔管理装置（４）とを備え、  
前記監視装置は、前記空気調和装置の運転に関する過去の運転情報、前記室内機の異常を検知して異常の内容を判定するための異常内容判断情報および、前記室内機が属するグループと前記異常内容判断情報との対応関係を記憶する前記記憶部（３７Ａ）を有し、前記過去の運転情報と前記異常内容判断情報とを比較して異常を認識し、認識した異常に関する情報とともに前記グループの情報を前記遠隔管理装置に送信し、
前記グループが、異常の要因によりあらかじめ分類され且つ異常に対処するために必要な対象である前記室内機及び／又は前記室外機からなる、空気調和装置の遠隔管理システム。
【請求項９】
空気調和装置（２ａ，２ｂ，２ｃ…）が、室内機（８ａａ，８ａｂ…，８ｂａ，８ｂｂ…，８ｃａ，８ｃｂ…，８ｄａ，８ｄｂ…，８ｅａ，８ｅｂ…）の異常を識別するための異常識別情報及び、前記室内機の個体を識別するための個体識別情報を出力する第１工程と、
前記空気調和装置に接続されている監視装置（３ａ，３ｂ，３ｃ…，３ａＡ）が、前記異常識別情報に関連する異常情報を取得する第２工程と、
前記監視装置が、通信回線を介して接続されている遠隔管理装置（４）に対し、前記前記異常情報とともに、前記個体識別情報並びに、異常の要因によりあらかじめ分類され且つ異常に対処するために必要な対象である前記室内機及び／又は前記室外機からなるグループの識別情報を出力する第３工程と
を備える、空気調和装置の遠隔管理方法。
【請求項１０】
室外機（７ａ，７ｂ，７ｃ，７ｄ，７ｅ…）及び前記室外機と同じ系統に属する複数の室内機（８ａａ，８ａｂ…，８ｂａ，８ｂｂ…，８ｃａ，８ｃｂ…，８ｄａ，８ｄｂ…，８ｅａ，８ｅｂ…）を有する空気調和装置（２ａ，２ｂ，２ｃ…）と、
前記空気調和装置に接続され前記空気調和装置を監視する監視装置（３ａ，３ｂ，３ｃ…，３ａＡ）と、
前記監視装置に通信回線を介して接続されている遠隔管理装置（４）とを備え、
前記空気調和装置は、前記室内機の異常を検知して異常の種別を識別するための異常識別情報を通知する異常識別情報通知手段（３２，３３ａ，３３ｂ…）と、前記室内機の個体を識別するための個体識別情報を前記異常識別情報に合わせて前記監視装置に通知する個体識別情報通知手段（３４ａ，３４ｂ…）とを持ち、
前記監視装置（３ａＡ）は、前記空気調和装置の運転に関して過去の運転情報を記憶する記憶部（３７Ａ）を有し、異常が発生した前記室内機について、前記記憶部に記憶している前記過去の運転情報の中から取得した前記異常識別情報に関連する異常情報とともに前記個体識別情報を前記遠隔管理装置に送信し得るよう構成され、前記室内機が属するグループと前記異常識別情報との対応関係を前記記憶部に記憶しており、前記個体識別情報及び前記対応関係に基づいて前記グループの識別情報を前記異常情報とともに前記遠隔管理装置に送信し、
前記異常識別情報は、運転スケジュールに反する異常に関するものであり、
前記グループは、前記運転スケジュールに反する異常を発生している前記室内機と同一の空間に存在する全ての前記室内機を含む、空気調和装置の遠隔管理システム。
【請求項１１】
前記監視装置は、前記個体識別情報で識別される個体またはグループに関連のない情報を前記異常情報の中から除いて前記遠隔管理装置に送信する、請求項１０に記載の空気調和装置の遠隔管理システム。
【請求項１２】
前記監視装置は、同一の前記室内機を複数のグループに割り付け可能に構成されている、請求項１１に記載の空気調和装置の遠隔管理システム。
【請求項１３】
前記遠隔管理装置は、前記記憶部の前記対応関係を書き換えるための書換手段（４４）を有する、請求項１０から１２のいずれかに記載の空気調和装置の遠隔管理システム。
【請求項１４】
前記遠隔管理装置に公衆回線を介して接続される、携帯可能な受信装置（６）をさらに備え、
前記遠隔管理装置は、前記個体識別情報を前記受信装置に送信する送信手段（４ａ）を有する、請求項１０から１３のいずれかに記載の空気調和装置の遠隔管理システム。
【請求項１５】
前記室内機は、ショーケースであり、
前記異常識別情報は、前記ショーケースの特定の測定温度が所定時間に所定範囲において変動するショーケース温度異常に関するものであり、
前記グループは、前記ショーケース温度異常が発生した系統に属する前記室外機と全ての前記ショーケースとを含む、請求項１０に記載の空気調和装置の遠隔管理システム。
【請求項１６】
前記異常識別情報は、前記室内機の設定温度に対して前記室内機の設置箇所の室内温度が所定時間以上乖離する異常に関するものであり、
前記グループは、前記室内機の設置箇所の前記室内温度の調節に係わる全ての前記室内機を含む、請求項１０に記載の空気調和装置の遠隔管理システム。
【手続補正２】
【補正対象書類名】明細書
【補正対象項目名】全文
【補正方法】変更
【補正の内容】
【発明の詳細な説明】
【技術分野】
【０００１】
本発明は、室外機及び複数の室内機で構成された空気調和装置を管理する遠隔管理システムおよび遠隔管理方法に関し、特に、通信網を介して空気調和装置を管理する空気調和装置の遠隔管理システムおよび遠隔管理方法に関する。
【背景技術】
【０００２】
遠隔管理システムにおいては、各地に点在するビルなどの対象物件に配置された空気調和装置の管理を行うため、対象物件ごとにローカルコントローラが設けられている。例えば特許文献１（特開２００８−５１３５７号公報）には、通信回線を通じてローカルコントローラにより空気調和装置を監視するとともにローカルコントローラを介して空気調和装置に指令を与える中央管理装置を備える遠隔管理システムの例が記載されている。
【０００３】
このような遠隔管理システムを使って空気調和装置の保守・管理を行う場合、空気調和装置に異常が起きた際に空気調和装置のどこで異常が発生したかを特定することが重要である。ところで、空気調和装置の場合、異常の大半は室外機で発生する。室外機は、ビルの屋上や室外機専用の部屋に設置され、室外機の数も１系統に１〜３台程度である。そのため、異常の発生している系統が分かれば、異常の発生している室外機の特定は容易であり、異常発生箇所の特定は容易であった。
【発明の概要】
【発明が解決しようとする課題】
【０００４】
しかしながら、発生割合は少ないものの、室内機を特定しなければならない空気調和装置の異常も発生している。一般的な空気調和装置において、室内機は、一つの系統に十数台〜数十台が接続されている。しかも、一つの系統に接続された室内機が同じフロアにあるとは限らず、異なるフロアや異なる部屋に配置されることは珍しくない。そのため、異常の発生が室内機においてのものである場合には、サービスマンなどが対象物件で行う異常発生中の室内機の特定は難しく、異常への対応に時間が掛かっていた。
【０００５】
本発明の課題は、ビルなどの対象物件における異常への対応のための作業時間を短縮できる空気調和装置の遠隔管理システムを提供することにある。
【課題を解決するための手段】
【０００６】
第１発明に係る空気調和装置の遠隔管理システムは、空気調和装置と監視装置と遠隔管理装置とを備えている。空気調和装置は、室外機及び室外機と同じ系統に属する複数の室内機を有する。管理装置は、空気調和装置に接続され、空気調和装置を監視する。遠隔管理装置は、監視装置に通信回線を介して接続されている。空気調和装置は、異常識別情報通知手段と個体識別情報通知手段とを持っている。この異常識別情報通知手段は、室内機の異常を検知して異常の種別を識別するための異常識別情報を監視装置に通知する。また、個体識別情報通知手段は、室内機の個体を識別するための個体識別情報を異常識別情報に合わせて通知する。監視装置は、空気調和装置の運転に関して過去の運転情報を記憶する記憶部を有する。監視装置は、異常が発生した室内機について、記憶部に記憶している過去の運転情報の中から異常識別情報に関連する異常情報を取得する。そして、取得した異常識別情報に関連する異常情報とともに個体識別情報を監視装置は遠隔管理装置に送信することができる。
【０００７】
監視装置は、室内機が属するグループと異常識別情報との対応関係を記憶部に記憶している。記憶部に記憶されている個体識別情報及びグループと異常識別情報との対応関係に基づいてグループの識別情報を異常情報とともに遠隔管理装置に監視装置が送信する。
【０００８】
そして、グループが、異常の要因によりあらかじめ分類され且つ異常に対処するために必要な対象である室内機及び／又は室外機からなるものである。
【０００９】
本発明によれば、遠隔管理装置では、監視装置の個体識別情報通知手段から通知された個体識別情報により、異常が発生した室内機の個体を識別することができる。このとき、個体識別情報が異常識別情報に合わせて通知されるため、通知された異常の発生している室内機が設置されている遠隔地で作業をするサービスマンなどに対して、遠隔管理装置のオペレータが、通知されている異常に対応する室内機を特定して指示を出すことができる。
【００１０】
また、記憶装置に記憶されているグループと異常情報との対応関係により、個体識別情報とともに、異常識別情報に対応したグループの識別情報を監視装置が送信できるので、空気調和装置の異常に対処するために必要な対象をグループという形態で特定することができる。それにより、異常対応作業を的確に行え、作業の迅速化が図られる。
【００１１】
第２発明に係る空気調和装置の遠隔管理システムは、第１発明の空気調和装置の遠隔管理システムであって、監視装置は、個体識別情報またはグループ識別情報で識別される個体またはグループに関連のない情報を異常情報の中から除いて遠隔管理装置に送信する。
【００１２】
本発明によれば、送信すべき異常情報の中から、異常に関係する個体やグループに関連のない情報すなわち不要な情報が監視装置により除かれるので、監視装置から遠隔管理装置に送信される情報量が削減できる。
【００１３】
第３発明に係る空気調和装置の遠隔管理システムは、第２発明の空気調和装置の遠隔管理システムであって、監視装置は、同一の室内機を複数のグループに割り付け可能に構成されている。
【００１４】
本発明によれば、監視装置により、同一の室内機を複数のグループに割り付けることで、室内機を複数のグループに重複して所属させることができる。
【００１５】
第４発明に係る空気調和装置の遠隔管理システムは、第１発明から第３発明のうちのいずれかの空気調和装置の遠隔管理システムであって、遠隔管理装置は、記憶部の対応関係を書き換えるための書換手段を有する。
【００１６】
本発明によれば、遠隔管理装置の書換手段により、グループと異常識別情報との対応関係を書き換えられるため、最初の試運転などの際に詳しく条件出しなどを行う作業を省き、必要に応じて試運転後に遠隔管理装置から書き換えを行える。
【００１７】
第５発明に係る空気調和装置の遠隔管理システムは、第１発明から第４発明のうちのいずれかの空気調和装置の遠隔管理システムであって、公衆回線を介して遠隔管理装置に接続される、携帯可能な受信装置をさらに備える。また、遠隔管理装置は、個体識別情報を受信装置に送信する送信手段を有する。
【００１８】
本発明によれば、異常の発生している現場に携帯された受信装置により、遠隔管理装置の送信手段から送られてくる個体識別情報をサービスマンなどが受信して、異常のある室内機を特定することができる。それにより、サービスマンなどは異常のある室内機の特定を迅速に行える。
【００１９】
第６発明に係る空気調和装置の遠隔管理システムは、第１発明の空気調和装置の遠隔管理システムであって、室内機は、ショーケースであり、異常識別情報は、ショーケースの特定の測定温度が所定時間に所定範囲において変動するショーケース温度異常に関するものである。また、グループは、ショーケース温度異常が発生した系統に属する室外機と全てのショーケースとを含むものである。
【００２０】
本発明によれば、ショーケース温度異常が発生したとき、その温度異常の判断の元になっている特定の測定温度が所定時間に所定範囲内において変動するものである場合、監視装置から遠隔管理装置に、ショーケース温度異常を示す異常識別情報および異常情報とともに、異常が発生しているショーケースの個体識別情報と、ショーケース温度異常が発生した系統に属する室外機および全てのショーケースを含むグループの識別情報とを送信することができる。それにより、遠隔管理装置の側では、送られてきたグループに属する室外機や他のショーケースもガス漏れなどのショーケース温度異常の兆候がないかを、室外機や他のショーケースの過去の運転情報を用いて迅速に調べることが可能になる。このように、室外機や他のショーケースの過去の運転情報を調べることは、故障の有無の判断の確度を向上させるのにも役立つ。
【００２１】
なお、ここで、特定の測定温度が所定時間に所定範囲内において変動するというのは、例えば、３０分ごとに測定されるショーケースの最低温度が６時間で２〜３度の範囲で上昇するような場合をいう。このようなゆっくりとした最低温度の変動をきたす故障の場合には、１台のショーケースだけでなく複数台のショーケースにもショーケース温度異常を示す兆候が現れることが経験則や実験などから知られている。従って、室外機や他のショーケースなどのグループの状況を分析することが、迅速で正確な判断を促進することになる。
【００２２】
第７発明に係る空気調和装置の遠隔管理システムは、第１発明の空気調和装置の遠隔管理システムであって、異常識別情報は、室内機の設定温度に対して室内機の設置箇所の室内温度が所定時間以上乖離する異常に関するものである。また、グループは、室内機の設置箇所の室内温度の調節に係わる全ての室内機を含むものである。
【００２３】
本発明によれば、室内機の設定温度に対して室内機の設置箇所の室内温度が所定時間以上乖離する異常が発生した場合、監視装置から遠隔管理装置に、設定温度から室内温度が乖離する異常を示す異常識別情報および異常情報とともに、異常が発生している室内機の個体識別情報と、室内機の設置箇所の室内温度の調節に係わる全ての室内機を含むグループの識別情報と、それらに係わる過去の運転データとを送信することができる。
【００２４】
それにより、遠隔管理装置の側では、異常を検知している室内機だけでなく、その室内機の設置箇所の室内温度調節に係わる全ての室内機を含むグループの過去の運転情報を用いて迅速に調べることが可能になる。また、室内温度調節に係わる全ての室内機の過去の運転情報を調べることで、その室内の快適性の評価が可能になる。さらに、異常が検知された室内機が所属する系統の室外機と室内機をグループに含めておくこともできる。このような同一の系統に属する室外機や室内機の運転データもあわせて分析すれば、異常原因を抽出するのに役立つ。
【００２５】
第８発明に係る空気調和装置の遠隔管理システムは、空気調和装置と監視装置と遠隔管理装置とを備えている。監視装置は、空気調和装置に接続されている。そして、監視装置は、空気調和装置を監視する。室外機及び室外機と同じ系統に属する複数の室内機を有する。監視装置は、遠隔管理装置は、監視装置に通信回線を介して接続されている。また、監視装置は、空気調和装置の運転に関する過去の運転情報、室内機の異常を検知して異常の内容を判定するための異常内容判断情報および、室内機が属するグループと異常内容判断情報との対応関係を記憶する記憶部を有する。そして、監視装置は、過去の運転情報と異常内容判断情報とを比較して異常を認識し、認識した異常に関する情報とともにグループの情報を遠隔管理装置に送信する。そして、グループが、異常の要因によりあらかじめ分類され且つ異常に対処するために必要な対象である室内機及び／又は室外機からなるものである。
【００２６】
本発明によれば、記憶装置に記憶されているグループと異常内容判断情報とを比較して監視装置が異常を認識し、そして、監視装置が、認識した異常に関する情報とともにグループの情報を遠隔管理装置に送信するので、空気調和装置の異常に対処するために必要な対象をグループという形態で特定することができる。それにより、異常対応作業を的確に行え、作業の迅速化が図られる。
【００２７】
第９発明に係る空気調和装置の遠隔管理方法は、第１工程で、空気調和装置が、室内機の異常を識別するための異常識別情報及び、室内機の個体を識別するための個体識別情報を出力する。第２工程では、室内機に接続されている監視装置が、異常識別情報に関連する異常情報を取得する。第３工程では、監視装置が、通信回線を介して接続されている遠隔管理装置に対し、異常情報とともに個体識別情報並びにグループの識別情報を出力する。このグループの識別情報は、異常の要因によりあらかじめ分類され且つ異常に対処するために必要な対象である前記室内機及び／又は前記室外機からなるものである。
【００２８】
本発明によれば、遠隔管理装置は、第３工程で、異常識別情報に合わせて監視装置から出力された個体識別情報及びグループの識別情報により、異常が発生した室内機の個体を識別する。それにより、異常が発生している室内機が設置されている遠隔地で作業をするサービスマンなどに対して、遠隔管理装置のオペレータが、異常の室内機を特定して指示を出すことができる。
【００２９】
また、グループと異常情報との対応関係により、個体識別情報とともに、異常識別情報に対応したグループの識別情報を監視装置が送信できるので、空気調和装置の異常に対処するために必要な対象をグループという形態で特定することができる。それにより、異常対応作業を的確に行え、作業の迅速化が図られる。
【００３０】
第１０発明に係る空気調和装置の遠隔管理システムは、空気調和装置と監視装置と遠隔管理装置とを備えている。空気調和装置は、室外機及び室外機と同じ系統に属する複数の室内機を有する。管理装置は、空気調和装置に接続され、空気調和装置を監視する。遠隔管理装置は、監視装置に通信回線を介して接続されている。空気調和装置は、異常識別情報通知手段と個体識別情報通知手段とを持っている。この異常識別情報通知手段は、室内機の異常を検知して異常の種別を識別するための異常識別情報を監視装置に通知する。また、個体識別情報通知手段は、室内機の個体を識別するための個体識別情報を異常識別情報に合わせて通知する。監視装置は、空気調和装置の運転に関して過去の運転情報を記憶する記憶部を有する。監視装置は、異常が発生した室内機について、記憶部に記憶している過去の運転情報の中から異常識別情報に関連する異常情報を取得する。そして、取得した異常識別情報に関連する異常情報とともに個体識別情報を監視装置は遠隔管理装置に送信することができる。
【００３１】
異常識別情報は、運転スケジュールに反する異常に関するものである。また、グループは、運転スケジュールに反する異常を発生している室内機と同一の空間に存在する全ての室内機を含むものである。
【００３２】
本発明によれば、遠隔管理装置では、監視装置の個体識別情報通知手段から通知された個体識別情報により、異常が発生した室内機の個体を識別することができる。このとき、個体識別情報が異常識別情報に合わせて通知されるため、通知された異常の発生している室内機が設置されている遠隔地で作業をするサービスマンなどに対して、遠隔管理装置のオペレータが、通知されている異常に対応する室内機を特定して指示を出すことができる。
【００３３】
また、記憶装置に記憶されているグループと異常情報との対応関係により、個体識別情報とともに、異常識別情報に対応したグループの識別情報を監視装置が送信できるので、空気調和装置の異常に対処するために必要な対象をグループという形態で特定することができる。それにより、異常対応作業を的確に行え、作業の迅速化が図られる。
【００３４】
さらに、運転スケジュールに反する異常が発生した場合、運転スケジュールに反する異常を示す異常識別情報および異常情報とともに、異常を発生している室内機の個体識別情報と、異常を発生している室内機と同一の空間に存在する全ての室内機を含むグループの識別情報と、それらの過去の運転情報とを送信することができる。
【００３５】
それにより、遠隔管理装置の側では、異常を検知している室内機だけでなく、その室内機と同一空間に存在する全ての室内機を含むグループの過去の運転情報を用いて迅速に状況を確認することが可能になり、運転スケジュールに反する理由の分析が迅速に行え、その確度も高くなる。
【００３６】
第１１発明に係る空気調和装置の遠隔管理システムは、第１０発明の空気調和装置の遠隔管理システムであって、監視装置は、個体識別情報またはグループ識別情報で識別される個体またはグループに関連のない情報を異常情報の中から除いて遠隔管理装置に送信する。
【００３７】
本発明によれば、送信すべき異常情報の中から、異常に関係する個体やグループに関連のない情報すなわち不要な情報が監視装置により除かれるので、監視装置から遠隔管理装置に送信される情報量が削減できる。
【００３８】
第１２発明に係る空気調和装置の遠隔管理システムは、第１１発明の空気調和装置の遠隔管理システムであって、監視装置は、同一の室内機を複数のグループに割り付け可能に構成されている。
【００３９】
本発明によれば、監視装置により、同一の室内機を複数のグループに割り付けることで、室内機を複数のグループに重複して所属させることができる。
【００４０】
第１３発明に係る空気調和装置の遠隔管理システムは、第１０発明から第１２発明のうちのいずれかの空気調和装置の遠隔管理システムであって、遠隔管理装置は、記憶部の対応関係を書き換えるための書換手段を有する。
【００４１】
本発明によれば、遠隔管理装置の書換手段により、グループと異常識別情報との対応関係を書き換えられるため、最初の試運転などの際に詳しく条件出しなどを行う作業を省き、必要に応じて試運転後に遠隔管理装置から書き換えを行える。
【００４２】
第１４発明に係る空気調和装置の遠隔管理システムは、第１０発明から第１３発明のうちのいずれかの空気調和装置の遠隔管理システムであって、公衆回線を介して遠隔管理装置に接続される、携帯可能な受信装置をさらに備える。また、遠隔管理装置は、個体識別情報を受信装置に送信する送信手段を有する。
【００４３】
本発明によれば、異常の発生している現場に携帯された受信装置により、遠隔管理装置の送信手段から送られてくる個体識別情報をサービスマンなどが受信して、異常のある室内機を特定することができる。それにより、サービスマンなどは異常のある室内機の特定を迅速に行える。
【００４４】
第１５発明に係る空気調和装置の遠隔管理システムは、第１０発明の空気調和装置の遠隔管理システムであって、室内機は、ショーケースであり、異常識別情報は、ショーケースの特定の測定温度が所定時間に所定範囲において変動するショーケース温度異常に関するものである。また、グループは、ショーケース温度異常が発生した系統に属する室外機と全てのショーケースとを含むものである。
【００４５】
本発明によれば、ショーケース温度異常が発生したとき、その温度異常の判断の元になっている特定の測定温度が所定時間に所定範囲内において変動するものである場合、監視装置から遠隔管理装置に、ショーケース温度異常を示す異常識別情報および異常情報とともに、異常が発生しているショーケースの個体識別情報と、ショーケース温度異常が発生した系統に属する室外機および全てのショーケースを含むグループの識別情報とを送信することができる。それにより、遠隔管理装置の側では、送られてきたグループに属する室外機や他のショーケースもガス漏れなどのショーケース温度異常の兆候がないかを、室外機や他のショーケースの過去の運転情報を用いて迅速に調べることが可能になる。このように、室外機や他のショーケースの過去の運転情報を調べることは、故障の有無の判断の確度を向上させるのにも役立つ。
【００４６】
なお、ここで、特定の測定温度が所定時間に所定範囲内において変動するというのは、例えば、３０分ごとに測定されるショーケースの最低温度が６時間で２〜３度の範囲で上昇するような場合をいう。このようなゆっくりとした最低温度の変動をきたす故障の場合には、１台のショーケースだけでなく複数台のショーケースにもショーケース温度異常を示す兆候が現れることが経験則や実験などから知られている。従って、室外機や他のショーケースなどのグループの状況を分析することが、迅速で正確な判断を促進することになる。
【００４７】
第１６発明に係る空気調和装置の遠隔管理システムは、第１０発明の空気調和装置の遠隔管理システムであって、異常識別情報は、室内機の設定温度に対して室内機の設置箇所の室内温度が所定時間以上乖離する異常に関するものである。また、グループは、室内機の設置箇所の室内温度の調節に係わる全ての室内機を含むものである。
【００４８】
本発明によれば、室内機の設定温度に対して室内機の設置箇所の室内温度が所定時間以上乖離する異常が発生した場合、監視装置から遠隔管理装置に、設定温度から室内温度が乖離する異常を示す異常識別情報および異常情報とともに、異常が発生している室内機の個体識別情報と、室内機の設置箇所の室内温度の調節に係わる全ての室内機を含むグループの識別情報と、それらに係わる過去の運転データとを送信することができる。
【００４９】
それにより、遠隔管理装置の側では、異常を検知している室内機だけでなく、その室内機の設置箇所の室内温度調節に係わる全ての室内機を含むグループの過去の運転情報を用いて迅速に調べることが可能になる。また、室内温度調節に係わる全ての室内機の過去の運転情報を調べることで、その室内の快適性の評価が可能になる。さらに、異常が検知された室内機が所属する系統の室外機と室内機をグループに含めておくこともできる。このような同一の系統に属する室外機や室内機の運転データもあわせて分析すれば、異常原因を抽出するのに役立つ。
【発明の効果】
【００５０】
第１発明に係る空気調和装置の遠隔管理システムでは、遠隔管理装置から離れた遠隔地で室内機の異常に対応するサービスマンなどの作業時間を短縮することができる。
【００５１】
また、異常の対応に必要なグループが特定されることで、異常対応作業を的確に行え、作業の迅速化が図られる。
【００５２】
第２発明に係る空気調和装置の遠隔管理システムでは、不要な情報の削減により通信負荷を軽減することができる。
【００５３】
第３発明に係る空気調和装置の遠隔管理システムでは、同一の室内機を異なるグループに所属させて管理できるため柔軟な管理が行える。
【００５４】
第４発明に係る空気調和装置の遠隔管理システムでは、対象物件でサービスマンなどが行う初期設定のための作業における余分な負担を軽減できる。
【００５５】
第５発明に係る空気調和装置の遠隔管理システムでは、異常処理対応現場における異常室内機の特定の迅速化により異常対応作業を短縮することができる。
【００５６】
第６発明に係る空気調和装置の遠隔管理システムでは、ショーケース温度異常の対応に必要なグループが特定されることで、ショーケース温度異常対応作業を的確に行え、作業の迅速化が図られる。
【００５７】
第７発明に係る空気調和装置の遠隔管理システムでは、室内機の設定温度に対して室内温度が所定時間以上乖離する異常の対応に必要なグループが特定されることで、異常対応作業を的確に行え、作業の迅速化が図られる。
【００５８】
第８発明に係る空気調和装置の遠隔管理システムでは、異常が監視装置で特定され、そして異常の対応に必要なグループが特定されることで、異常対応作業を的確に行え、作業の迅速化が図られる。
【００５９】
第９発明に係る空気調和装置の遠隔管理方法では、遠隔管理装置から離れた遠隔地での室内機の異常に対応するサービスマンなどの作業時間を短縮することができる。
【００６０】
第１０発明に係る空気調和装置の遠隔管理システムでは、運転スケジュールに反する異常の対応に必要なグループが特定されることで、運転スケジュールに反する異常への対応作業を的確に行え、作業の迅速化が図られる。
【００６１】
第１１発明に係る空気調和装置の遠隔管理システムでは、不要な情報の削減により通信負荷を軽減することができる。
【００６２】
第１２発明に係る空気調和装置の遠隔管理システムでは、同一の室内機を異なるグループに所属させて管理できるため柔軟な管理が行える。
【００６３】
第１３発明に係る空気調和装置の遠隔管理システムでは、対象物件でサービスマンなどが行う初期設定のための作業における余分な負担を軽減できる。
【００６４】
第１４発明に係る空気調和装置の遠隔管理システムでは、異常処理対応現場における異常室内機の特定の迅速化により異常対応作業を短縮することができる。
【００６５】
第１５発明に係る空気調和装置の遠隔管理システムでは、ショーケース温度異常の対応に必要なグループが特定されることで、ショーケース温度異常対応作業を的確に行え、作業の迅速化が図られる。
【００６６】
第１６発明に係る空気調和装置の遠隔管理システムでは、室内機の設定温度に対して室内温度が所定時間以上乖離する異常の対応に必要なグループが特定されることで、異常対応作業を的確に行え、作業の迅速化が図られる。
【図面の簡単な説明】
【００６７】
【図１】本発明の一実施形態に係る遠隔管理システムと管理対象の接続の概要を示す図。
【図２】空気調和装置の構成を示す図。
【図３】第１実施形態に係る遠隔管理システムの構成の概要を示すブロック図。
【図４】グループを説明するための概念図。
【図５】（ａ）サービス端末の画面表示の一例を示す平面図。（ｂ）サービス端末の画面表示の他の例を示す平面図。
【図６】第２実施形態に係る遠隔管理システムの構成の概要を示すブロック図。
【図７】グループを説明するための概念図。
【発明を実施するための形態】
【００６８】
−第１実施形態−
＜管理対象と遠隔管理システム全体の構成＞
本発明の第１実施形態に係る空気調和装置とその遠隔管理システムとの接続関係と構成の概要を図１に示す。遠隔管理システム１は、ビルなどの物件Ｂ１，Ｂ２，Ｂ３…に設けられた空気調和装置２ａ，２ｂ，２ｃ…の管理を行っている。管理対象である空気調和装置２ａ，２ｂ，２ｃ…自身にも管理に用いられる制御装置が組み込まれていることから、空気調和装置２ａ，２ｂ，２ｃ…も遠隔管理システム１の中に含まれる。遠隔管理システム１は、空気調和装置２ａ，２ｂ，２ｃ…に加えて、ローカルコントローラ３ａ，３ｂ，３ｃ…と遠隔管理装置４とを備えている。
【００６９】
ローカルコントローラ３ａ，３ｂ，３ｃ…は、各物件Ｂ１，Ｂ２，Ｂ３に少なくとも１個ずつ設けられ、各物件Ｂ１，Ｂ２，Ｂ３に設置されている空気調和装置２ａ，２ｂ，２ｃ…にそれぞれ接続されている。各物件Ｂ１，Ｂ２，Ｂ３の空気調和装置２ａ，２ｂ，２ｃ…の規模が大きいような場合には、一物件当たりに複数のローカルコントローラが設けられることもある。ローカルコントローラ３ａ，３ｂ，３ｃ…は、インターネットなどの通信回線５を介して遠隔管理装置４の遠隔管理サーバ４ａに接続されている。遠隔管理装置４には、データ保管用のサーバや電子メールを送受信するためのサーバなど種々の装置が設けられるのが一般的であるが、ここでは遠隔管理システム１と直接関連する遠隔管理サーバ４ａ以外の装置の記載を省略している。
【００７０】
遠隔管理システム１においては、異常を検知した場合には、通信回線５を介して遠隔管理装置４に接続されているサービス端末６を用い、サービスマンなどの修理を行う者に対して異常に関する情報や修理に関する情報を伝達する。
【００７１】
＜空気調和装置の構成＞
まず、遠隔管理システム１の管理対象である空気調和装置２ａ，２ｂ，２ｃ…の構成について説明する。図１に示すように、空気調和装置２ａ，２ｂ，２ｃ…は、室外機７ａ，７ｂ，７ｃ，７ｄ，７ｅ…と室内機８ａａ，８ａｂ…，８ｂａ，８ｂｂ…，８ｃａ，８ｃｂ…，８ｄａ，８ｄｂ…，８ｅａ，８ｅｂ…とを含んでいる。空気調和装置の室内機とは、室内の空気調和のために設置される機器をいい、空気調和装置の室外機とは、室内機と連結されて室外の空気などとの間で熱や湿度などの交換を行う機器をいう。
【００７２】
図１に示すように、例えば、室外機７ａと室内機８ａａ，８ａｂとは連結されて、一つの系統を構成している。従って、物件Ｂ１には、３つの系統が存在し、３つの系統には３つの室外機７ａ，７ｂ，７ｃがそれぞれ連なっている。一つの物件に系統がいくつ存在するかは、物件ごとに異なっており、ここでは、物件Ｂ２，Ｂ３に各１系統ずつ存在する場合を例示している。ただし、系統は３系統よりも多い場合もあり、物件によって様々である。なお、室内機には、分離型のヒートポンプ式空気調和装置の室内機ばかりでなく、室外機と同一系統内で一緒に管理される熱交換機能付きの換気扇なども含まれる。
【００７３】
また、図１では、室外機７ａに連結されている２つの室内機８ａａ，８ａｂを描いているが、室外機７ａに連結される室内機の数も物件によって様々であり、一系統に連結される室内機が６０台程度になる場合もある。そして、同じ物件Ｂ１に設置される室内機８ａａ，８ａｂ…，８ｂａ，８ｂｂ…８ｃａ，８ｃｂ…の設置場所も様々である。例えば、同一系統に連結されている室内機８ａａ，８ａｂ…が異なる階のフロアに配置される場合もあり、異なるテナントの部屋に配置される場合もある。
【００７４】
（系統）
次に、室外機と室内機の連結について、室外機７ａと室内機８ａａ，８ａｂ…を例にとって図２を用いて説明する。図２に示すように、室外機７ａと室内機８ａａ，８ａｂ…とは、冷媒連絡配管９ａ及び通信ネットワーク１０ａによって連結されている。室外機７ａと室内機８ａａ，８ａｂ…で構成されている系統において、系統を構成するいずれかの機器に故障が発生したときには、故障の影響が冷媒を共有する系統全体に及ぶ場合がある。そのため、系統において不具合が発生した時に、通信ネットワーク１０ａで集められる室外機７ａや室内機８ａａ，８ａｂ…などの系統を構成する機器のデータ全般を解析しないと故障箇所や故障原因が特定できない場合もある。
【００７５】
（冷媒回路）
図２に示すように、室外機７ａの圧縮機１１、四路切換弁１２及び室外側熱交換器１３並びに、室内機６ａａ，６ａｂ…の膨張弁１４ａ，１４ｂ…及び室内側熱交換器１５ａ，１５ｂ…は、冷媒連絡配管９ａによって連結されて閉じたループ、すなわち冷媒回路を形成している。この冷媒回路の中を冷媒が循環する。また、冷媒と室内外の空気と間の熱交換のために、室外側熱交換器１３及び室内側熱交換器１５ａ，１５ｂ…に対して室外側ファン１６及び室内側ファン１７ａ，１７ｂ…が設けられている。
【００７６】
冷房時には、圧縮機１１で圧縮されて吐出された冷媒が四路切換弁１２を介して室外側熱交換器１３に送られる。室外側熱交換器１３では外気との熱交換が室外側ファン１６によって促進され、熱を奪われた冷媒は、冷媒連絡配管９ａを通って膨張弁１４ａ，１４ｂ…に送られる。膨張弁１４ａ，１４ｂ…で高圧液状の冷媒が低温低圧の湿り蒸気の状態に変化し、室内側熱交換器１５ａ，１５ｂ…に入る。室内側熱交換器１５ａ，１５ｂ…では室内空気との熱交換が室内側ファン１７ａ，１７ｂ…によって促進され、熱を奪って温度が上昇した冷媒は、四路切換弁１２を介して圧縮機１１に送られる。
【００７７】
暖房時には、四路切換弁１２が切り替わって、圧縮機１１で圧縮されて吐出された冷媒が室内側熱交換器１５ａ，１５ｂ…に送られる。そして、冷房時とは逆の経路をたどって、室外側熱交換器１３を出た冷媒は圧縮機１１に送られる。
【００７８】
なお、上記の説明は、室外機７ａと室内機８ａａ，８ａｂ…について行ったが、室外機７ｂと室内機８ｂａ，８ｂｂ…、室外機７ｃと室内機８ｃａ，８ｃｂ…、室外機７ｄと室内機８ｄａ，８ｄｂ…及び室外機７ｅと室内機８ｅａ，８ｅｂ…についても同様に冷媒回路が形成されている。
【００７９】
（制御用機器の配線）
空気調和装置２ａにおける空気調和の動作を正しく効率よく行わせるために、冷媒回路の室外機７ａや室内機８ａａ，８ａｂ…の各構成要素のうちのいくつかは、それぞれの機器の中に組み込まれた室外側制御部１８及び室内側制御部１９ａ，１９ｂ…によって制御される。
【００８０】
室外機７ａには、室外機７ａの各部の温度を測定するための温度センサとして、熱交換器温度センサ２０、出入口温度センサ２１、吸込側温度センサ２２、吐出側温度センサ２３及び外気温度センサ２４などが設けられており、こられの温度センサ２０〜２４で測定された温度が室外側制御部１８に伝達される。熱交換器温度センサ２０は、室外側熱交換器１３の内部の冷媒の温度を検出する。出入口温度センサ２１は、室外側熱交換器１３の出入口に設けられ、室外側熱交換器１３と室内機８ａａ，８ａｂ…との間を通う冷媒の温度を測定する。吸込側温度センサ２２は、圧縮機１１に吸い込まれる冷媒の温度を測定する。吐出側温度センサ２３は、圧縮機１１から吐出される冷媒の温度を測定する。外気温度センサ２４は、外気温度を検出する。
【００８１】
室外機７ａには、圧縮機１１に吸入される冷媒の圧力を測定するための吸入側圧力センサ２５及び、圧縮機１１から吐出される冷媒の圧力を測定するための吐出側圧力センサ２６などの圧力センサが設けられている。吸入側圧力センサ２５及び吐出側圧力センサ２６などで測定された冷媒の圧力は室外側制御部１８に伝達される。
【００８２】
また、室外機７ａにおいては、圧縮機１１のモータ、四路切換弁１２及び室外側ファン１６のモータが室外側制御部１８に接続されている。室外側制御部１８により、圧縮機１１のモータ及び室外側ファン１６のモータの回転数やオン・オフが制御され、四路切換弁１２の切替が制御され、室外側制御部１８による制御に関する制御情報も蓄積される。
【００８３】
室内機８ａａ，８ａｂ…には、室内側熱交換器１５ａ，１５ｂ…の第１出入口と第２出入口の冷媒の温度を測定するための第１温度センサ２７ａ，２７ｂ…と第２温度センサ２８ａ，２８ｂ…が設けられ、室内の温度を測定するための室内温度センサ２９ａ，２９ｂ…が設けられている。これらの温度センサ２７ａ，２７ｂ…、２８ａ，２８ｂ…，２９ａ，２９ｂ…で測定された温度が室内側制御部１９ａ，１９ｂ…に伝達される。
【００８４】
また、室内機８ａａ，８ａｂ…においては、膨張弁１４ａ，１４ｂ…や室内側ファン１７ａ，１７ｂ…のモータなどが室内側制御部１９ａ，１９ｂ…に接続されている。この室内側制御部１９ａ，１９ｂ…により、膨張弁１４ａ，１４ｂ…の開度及び室内側ファン１７ａ，１７ｂ…のモータの回転数やオン・オフなどが制御され、室内側制御部１９ａ，１９ｂ…の制御に関する制御情報も蓄積される。
【００８５】
室内側制御部１９ａ，１９ｂ…は、通信ネットワーク１０ａを介して室外側制御部１８に接続され、室外側制御部１８は通信ネットワーク１０ａを介してローカルコントローラ３ａに接続されている。そのため、室外側制御部１８や室内側制御部１９ａ，１９ｂ…で収集された温度や圧力に関するデータ及び制御情報は、ローカルコントローラ３ａを介して遠隔管理装置４に集めることが可能である。
【００８６】
＜遠隔管理システムの構成と動作＞
図３は、遠隔管理システムの構成の一部を示すブロック図である。図１に示したように、遠隔管理システム１は、複数の物件Ｂ１，Ｂ２，Ｂ３…の遠隔管理を行っているが、物件ごとの構成は類似していることから説明を簡単にするため、遠隔管理装置４と物件Ｂ１の間に構築された構成について説明する。さらに、遠隔管理装置４と物件Ｂ１の間に構築される構成において、室外機７ａと室内機８ａａ，８ａｂ…の系統、室外機７ｂと室内機８ｂａ，８ｂｂ…の系統、及び室外機７ｃと室内機８ｃａ，８ｃｂ…の系統の管理が類似することから、以下、遠隔管理システム１のうち、室内機８ａａ，８ａｂ…と室外機７ａとローカルコントローラ３ａと遠隔管理装置４とサービス端末６で形成されている部分の構成について説明する。なお、本発明の用途が、空気調和装置の異常時の対応にあることから、異常時に必要な構成と動作の説明を主に行い、通常時の動作などの説明を省略する。
【００８７】
図２において示した室外側制御部１８と室内側制御部１９ａ，１９ｂ…による各種センサを用いた室外機７ａ及び室内機８ａａ，８ａｂ…の構成機器の制御における異常検知について、図３のブロック図を用いて説明する。図３に示すように、室外機７ａの室外側制御部１８は記憶部３０を有し、室内機８ａａ，８ａｂ…の室内側制御部１９a，１９ｂ…は記憶部３１ａ，３１ｂ…を有している。記憶部３０には、異常コード通知アプリケーション３２が記憶されており、記憶部３１ａ，３１ｂ…には、異常コード通知アプリケーション３３ａ，３３b…及び個体番号通知アプリケーション３４ａ，３４ｂ…が記憶されている。異常コード通知アプリケーション３２、３３ａ，３３ｂ…は、室外側制御部１８及び室内側制御部１９ａ，１９ｂ…の温度センサ２１〜２４，２７ａ〜２９ａ，２７ｂ〜２９ｂや圧力センサ２５，２６や制御対象の各構成機器から送られてくる情報及び制御対象の各構成機器に与える情報に基づいて異常を特定し、特定した異常に対応する異常コードを特定する。異常の特定は、センサ等や制御対象の構成機器等との間の送受信情報の組み合わせが、予め記憶している、異常コードに対応する送受信情報の組み合わせと一致するか否かで行われる。個体番号通知アプリケーション３４ａ，３４ｂ…は、異常コードの通知の際に起動され、異常コードとともに異常が発生している室内機８ａａ，８ａｂ…の個体番号を付与して室外側制御部１８に送信する機能を有する。
【００８８】
なお、図３に示した室外側制御部１８及び室内側制御部１９ａ，１９ｂ…と温度センサ２０〜２４，２７ａ，２７ｂ…，２８ａ，２８ｂ…，２９ａ，２９ｂ…や圧力センサ２５，２６や制御対象の各構成機器との接続は、図２で示したこれらの接続関係と同じであるので説明を省略する。
【００８９】
室外側制御部１８及び室内側制御部１９ａ，１９ｂ…は、温度センサ２０〜２４，２７ａ，２７ｂ…，２８ａ，２８ｂ…，２９ａ，２９ｂ…と圧力センサ２５，２６、圧縮機１１、四路切換弁１２、室外側ファン１６、膨張弁１４ａ，１４ｂ…、及び室内側ファン１７ａ，１７ｂ…などから異常を示す信号を受信すると、受信した信号が示す異常を特定する。そして、異常が室内機８ａａ，８ａｂ…で発生しているなら、室内機８ａａ，８ａｂ…が室外側制御部１８を経由して、室内機８ａａ，８ａｂ…の個体番号及び特定した異常に対応する異常コードをローカルコントローラ３ａに送信する。
【００９０】
例えば、室内側ファン１７ａが送風を指示しても回転しないなどの異常があると、室内側制御部１９ａは、異常コード通知アプリケーション３３ａにより、室内側ファン１７ａのオン・オフ異常を認識し、このオン・オフ異常に対応する異常コード、例えば「ＸＸＸ００１」のようなコードを室外側制御部１８に送信する。その際、室内側制御部１９ａは、個体番号通知アプリケーションにより、室内機８ａａを示す個体番号、例えば「ＹＹ１００１」のような番号を一緒に室外側制御部１８に送信する。これら異常コードと室内機８ａａの個体番号を受信した室外側制御部１８はローカルコントローラ３ａに異常コードと個体番号を転送する。
【００９１】
例えば、異常が発生しているのが室外側ファン１６であった場合には、室外側制御部１８は、異常コード通知アプリケーション３２により、室外側ファン１６のオン・オフ異常を認識し、このオン・オフ異常に対応する異常コード、例えば「ＸＸＸ１０１」のようなコードをローカルコントローラ３ａに送信する。室外機７ａの異常の場合には、通常は、１系統に１台の室外機しか存在しないことから、異常コードの「ＸＸＸ１０１」によって、異常箇所が室外機７ａの室外側ファン１６ということを特定できる。室外機７ａの場合には従来と同様に系統が識別できれば個体を識別する必要がないことから、室内機８ａａ，８ａｂ…の個体番号通知アプリケーション３４ａ，３４ｂ…を記憶部３０に記憶させておく必要はない。ただし、個体番号通知アプリケーションを室内機８ａａ，８ａｂ…に準備しておいて、室内機８ａａ，８ａｂ…の個体番号は通知するようにしてもかまわない。
【００９２】
図３に示すように、ローカルコントローラ３ａは、通信部３５、コントローラ側制御部３６及び記憶部３７を有している。ローカルコントローラ３ａの通信部３５は、通信ネットワーク１０ａを介して室外側制御部１８とデータの送受信を行い、インターネットなどの通信回線５を介して遠隔管理装置４とデータの送受信を行う。空気調和装置２ａに異常が発生したときには、通信部３５で室外側制御部１８から送られてくる状態データや異常コードなどを受信する。状態データとしては、例えば、空気調和装置２ａの室外機７ａや室内機８ａａ，８ａｂ…の運転時間や運転回数、圧縮機１１のモータの回転数、室外側ファン１６のオン・オフや回転数、室内側ファン１７ａ，１７ｂ…のオン・オフや回転数、室内温度、室外温度、室外側熱交換器１３の温度、室内側熱交換器１５ａ，１５ｂ…の温度、圧縮機１１から吐出される冷媒の温度や圧力、圧縮機１１に吸入される冷媒の温度や圧力などがある。
【００９３】
コントローラ側制御部３６は、遠隔管理装置４からの指示に従い、空気調和装置２ａの運転状態を監視している。監視のために、コントローラ側制御部３６は、空気調和装置２ａから受信した状態データや異常コードの処理を行っている。また、コントローラ側制御部３６は、室外機７ａや室内機８ａａ，８ａｂ…のオン・オフ制御や設定温度の変更などの制御を行う場合もある。
【００９４】
ローカルコントローラ３ａの記憶部３７は、通信部３５で受信した空気調和装置２ａの状態データや異常コードなど室外機７ａ及び室内機８ａａ，８ａｂ…の状態情報３８を記憶する一方、これらの処理に必要な情報を予め記憶しており、コントローラ側制御部３６に対して出力する。また、コントローラ側制御部３６が空気調和装置２ａに対して行った制御の内容などを記憶する。
【００９５】
また、記憶部３７は、グループ・異常コードの対応関係情報３９を記憶している。グループとは同一系統の室外機７ａや室内機８ａａ，８ａｂ…から抽出されたものが属する集団であって、同一のグループには、異常が検知されたときに、異常のある室内機と共に配慮しなければならない室内機や室外機が含まれる。また、発生している異常の種類によって影響の出る範囲や配慮すべき範囲が異なることから、当然、グループに属する室内機や室外機の配分は異常コードに対応して行われている。そのため、このような異常が発生している室内機の異常コードとグループとの対応関係がグループ・異常コードの対応関係情報３９に記述されている。ローカルコントローラ３ａでは、個体番号と異常コードから、異常の発生している室内機ばかりでなく、それに関連する室内機も一つのグループとして特定する。なお、物件Ｂ１がビルの場合には、室外機７ａに属する同一系統の室内機８ａａ，８ａｂ…が異なるテナントに属するなど使用状況の観点からグループに属する室内機の配分がなされる場合もある。
【００９６】
例えば、先に説明したような室内側ファン１７ａが動作しないといった場合には、この異常の影響は室内機８ａａに限定的なものであるから、室内側ファン１７ａのオン・オフ異常を示す異常コード「ＸＸＸ００１」のグループとしては、室内側ファン１７ａが故障している室内機８ａａのみを属させておけばよい。一方、同じ室内機８ａａの異常でも、膨張弁１４ａが閉じないといった場合には、他の室内機８ａｂ…に流れる冷媒が不足して他の室内機８ａｂ…において適切な冷凍サイクルを行わせることが難しくなる場合もある。そのような場合には、室内機８ａａだけでなく他の室内機８ａｂ…を含めて、影響を調査する必要のある室内機をグルーピングする。
【００９７】
空気調和装置２ａに異常が検知されて、ローカルコントローラ３ａが遠隔管理装置４に対して異常発報を行う場合には、ローカルコントローラ３ａは、記憶部３７に記憶されている室外機・室内機の状態情報３８のうち、異常発生前３０分間の状態情報を送信する。ただし、異常コードに対応するグループが、系統の中の一部の室内機のみを含む場合には、そのグループに関連した情報に絞って状態情報の送信が行われる。異常コードに対応して状態情報をどの範囲まで送信するかもグループ・異常コードの対応関係情報３９に記述されている。
【００９８】
従って、室内機８ａａ，８ａｂ…のいずれかに異常があり、ローカルコントローラ３ａが遠隔管理装置４に異常発報を送信する場合には、異常のある室内機の個体番号、異常コード、異常コードに対応するグループコード及びそのグループに関連する状態情報が異常発報に含まれる。
【００９９】
なお、図３にはローカルコントローラ３ａのみを示しているが、図２に示したローカルコントローラ３ｂ，３ｃ…が管理においてローカルコントローラ３ａと類似の役割を果たすものであることは、系統が異なる室外機７ａ，７ｂ，７ｃ…や室内機８ａａ，８ａｂ…、８ｂａ，８ｂｂ…、８ｃａ，８ｃｂ…の管理が互いに類似するものであったのと同様である。そこで、図３において、ローカルコントローラ３ｂ，３ｃ…の記載を省略し、余分な説明を省いている。
【０１００】
遠隔管理装置４は、ローカルコントローラ３ａから異常発報を受け取ると、その異常発報を遠隔管理サーバ４ａで処理して、インターネットなどの通信回線５を介してサービスマンなどが使用するサービス端末６に情報を送る。例えば、個体番号がサービスマンに分かってもサービスマンが効率よく修理する役には立たない。サービスマンなどが物件において迅速に異常に対応するためには、個体番号で特定される室内機がどのような機種なのか、どこに設置されているのか、どのテナントが使用しているのかなどの個体番号に関連する情報が必要になる。このような情報を送るため、遠隔管理装置４は、遠隔管理サーバ４ａの記憶部４０に、個体番号で特定される室内機に関連する情報が集積されている個体番号関連情報４１、異常コードで特定される異常に関連する情報が集積されている異常コード関連情報４２、及びグループに関連する情報が集積されているグループ関連情報４３を記憶している。
【０１０１】
ここで、グループの具体的な設定方法について説明する。まず、ローカルコントローラ３ａの側では、試運転時、系統毎での室外機・室内機の検出を従来と同様に行い、各系統をデフォルトのグループとして設定する。異常コードは全てデフォルトのグループに設定する。次に、ローカルコントローラ３ａ側で必要に応じて室内機１台以上を構成要素として任意のグループを作成する。このとき、デフォルトのグループから新規に作成したグループに、異常コードを移動する。試運転発報送信処理を実行するとき、作成したグループ情報も合わせて遠隔管理装置４に送信する。遠隔管理装置４では、試運転発報受信処理が実行され、作成されたグループ情報が読み込まれる。
【０１０２】
グループの設定を行う場合、一つの室内機が複数のグループに属することを許容するようにする。異なる故障に起因する場合には、故障が起きた室内機が及ぼす影響も異なり、考慮すべき対象が異なる場合がある。例えば、１階フロアの室内機の膨張弁が閉まらないといった故障の場合のグループＧ１を１階フロアに配置されている室内機に割り当て、同じ１階の室内機の室内側ファンが動作しないといった故障の場合のグループＧ２を１階のフロアに配置されている異常を起こした室内機自身に割り当てると、１階のフロアの同じ室内機がグループＧ１に所属すると共にグループＧ２にも所属する。
【０１０３】
また、遠隔管理装置４の遠隔管理サーバ４ａは記憶部４０を有しており、この記憶部４０に、異常コードとグループの対応関係を書き換えるためのアプリケーションであるグループ・異常コードの対応関係情報書換アプリケーション４４が記憶されている。この対応関係情報書換アプリケーション４４を起動することにより、ローカルコントローラ３ａの記憶部３７に記憶されているグループ・異常コードの対応関係情報３９を書き換えることができる。試運転時に室内機８ａａ，８ａｂ…のグループを設定しなければならないとすると、試運転時の作業が増えて空気調和装置２ａを稼動させる作業の負担が増えてしまう。そこで、遠隔管理装置４から、グループ・異常コードの対応関係情報書換アプリケーション４４により、必要に応じて、室内機１台以上で任意の新規グループの作成、既存グループの変更・削除を行うことができるようにする。対応関係情報書換アプリケーション４４により、系統の全ての室外機７ａと室内機８ａａ，８ａｂ…を含むデフォルトのグループから新たなグループを作成するとき、新規に作成するグループに適切な異常コードを設定する。例えば、空気調和装置２ａの運転状況や機種やテナントなどの状況を検討してから適切と思われるグループと異常コードとの組み合わせの選別を行う。グループの作成・変更・削除があった場合、設定情報をローカルコントローラ３ａに通知する。遠隔管理装置４からの通知を受けて、ローカルコントローラ３ａは、グループ情報（異常コード情報を含む）を更新する。
【０１０４】
サービス端末６は、通信部４５、端末側制御部４６、記憶部４７及び表示部４８を有している。サービス端末６の通信部４５は、インターネットなどの通信回線５を介して遠隔管理装置４とデータの送受信を行う。空気調和装置２ａに異常が発生したときに、通信部４５では、遠隔管理装置４から送られてくる、室外機７ａ及び室内機８ａａ，８ａｂ…のうち異常に関連するものを特定するための情報及び、異常の状況や異常に対処するための情報などを受信する。端末側制御部４６は、主に、遠隔管理装置４から受信した情報を表示部４８に表示するための処理を行う。サービス端末６の記憶部４７は、遠隔管理装置４から送信されてくる情報を記憶する。
【０１０５】
＜異常発報への対応＞
異常発報を受けたときの対応について、図３及び図４を用いて説明する。以下、異常への対応について、異常への対応に系統全体を考慮しなければならない場合、異常への対応にグループを考慮しなければならない場合、及び異常への対応に個別の室内機だけを修理すればよい場合に別けて説明する。
【０１０６】
（系統での対応）
系統で対応しなければならない場合として、まず、室外機７ａで故障が生じた場合が考えられる。例えば、冷房時に、室外側ファン１６が動いていなかったり、室外側熱交換器１３に汚れが付着していたりして、十分に冷媒が冷却されない場合には系統全体に影響が出る。例えば、室外側ファン１６が動いていない場合には、室外機７ａの室外側制御部１８で異常を検出し、その異常に対応する異常コード「ＸＸＸ１０１」をローカルコントローラ３ａに送信する。ローカルコントローラ３ａでは、グループ・異常コードの対応関係情報３９により、異常コード「ＸＸＸ１０１」に対応するグループを特定する。この場合、図４に示す、系統全てを含むグループＧ０が特定される。また、このグループＧ０の場合には、異常発報のデータに、異常発生前３０分の全ての室外機７ａと室内機８ａａ，８ａｂ…の状態データが必要であることがグループ・異常コードの対応関係情報３９に記述されているので、ローカルコントローラ３ａは、異常コード「ＸＸＸ１０１」とともに、グループＧ０を示す情報と異常発生前３０分の状態データとを異常発報に含めて遠隔管理装置４の遠隔管理サーバ４ａに送信する。異常発報に基づいて異常の解析が行われ、遠隔管理装置４により、サービス端末６を通じてサービスマンに対して、物件Ｂ１の室外機７ａの室外側ファン１６を点検・修理するように指示が出される。この場合、室外機７ａの設置場所が限られていることから、その設置場所をサービスマンが特定するのは容易である。
【０１０７】
（グループでの対応）
図４に示す室内機８ａａ，８ａｂ…、８ａｆ，８ａｇ…、８ａｍ，８ａｎ…のうち、一部の室内機８ａａ，８ａｂ…の冷房能力が十分に確保されない場合を考える。この場合、室内側制御部１９ａ，１９ｂ…のいくつかから、冷房能力不足を示す異常コード「ＸＸＸ００２」及び異常のある室内機の個体番号が室外機７ａを経由してローカルコントローラ３ａに送信される。ローカルコントローラ３ａでは、グループ・異常コードの対応関係情報３９により、異常コード「ＸＸＸ００２」に対応するグループを特定する。この場合、冷房能力が十分でないというのは室内機個別の異常に起因する可能性が高く、その点を考慮して予め記憶されている異常コードとグループの対応関係から、図４に示す室内機８ａａ，８ａｂ…を含むグループＧ１が特定される。異常コード「ＸＸＸ００２」の場合、グループＧ１が特定されると、予めグループＧ２，Ｇ３…の状態データが必要ないという情報がグループ・異常コードの対応関係情報３９に記述されているので、グループＧ２，Ｇ３…の状態データは遠隔管理装置４には送信されない。従って、ローカルコントローラ３ａは、異常コード「ＸＸＸ００２」、この異常コードを発信している室内機の個体番号、グループＧ１を示す情報、及びグループＧ１に属する室内機８ａａ，８ａｂ…と室外機７ａの異常発生前３０分の状態データを遠隔管理装置４に送信する。異常発報に基づいて異常の解析が行われ、遠隔管理装置４により、サービス端末６を通じてサービスマンに対して、物件Ｂ１のグループＧ１の室内機８ａａ，８ａｂ…を点検・修理するように指示が出される。例えば、図５（ａ）に示すように、サービス端末６の表示部４８に、グループＧ１に属する室内機８ａａ，８ａｂ…がどの場所に設置されているかが一目で分かるような表示を行う。図５（ａ）においては、斜線で示したものが異常コードを送信した室内機である。グループに属する室内機の配置場所をレイアウト画面で表示することによって、サービスマンは、異常が発生している物件において速やかに異常の原因箇所に到達できる。図３に示した個体番号関連情報４１やグループ関連情報４３とレイアウト画面の情報をリンクさせておくことで、図５（ａ）に示すようなレイアウト画面表示を行うことができる。
【０１０８】
物件Ｂ１において、サービスマンは、斜線で示した室内機８ａａ…を調べ、例えば３階フロアの配管の詰まりが原因で冷媒循環量が不足しているなどの故障の原因を発見することができる。その際に、グループで表示することにより、異常コードを発信している室内機以外にもサービスマンの注意が及ぶので、異常の原因の発見が早くなることが考えられる。
【０１０９】
（室内機個別の対応）
図４に示す室内機８ａａの室内側ファン１７ａにオン・オフ異常が発生した場合を考える。この場合、室内機８ａａの室内側制御部１９ａから、オン・オフ異常を示す異常コード「ＸＸＸ００１」及び異常のある室内機８ａａの個体番号が室外機７ａを経由してローカルコントローラ３ａに送信される。ローカルコントローラ３ａでは、グループ・異常コードの対応関係情報３９により、異常コード「ＸＸＸ００１」に対応するグループを特定する。この場合、室内機８ａａのみを修理すればよいことが分かっているので、その点を考慮して予め記憶されている異常コードとグループの対応関係から、図４に示す室内機８ａａのみを構成要素とするグループＧ４が特定される。異常コード「ＸＸＸ００１」の場合、グループＧ４が特定されると、予め構成機器の状態データが必要ないという情報がグループ・異常コードの対応関係情報３９に記述されているので、状態データは遠隔管理装置４には送信されない。従って、ローカルコントローラ３ａは、異常コード「ＸＸＸ００１」、この異常コードを発信している室内機の個体番号、及びグループＧ４を示す情報を遠隔管理装置４に送信する。異常発報に基づく異常の解析を省いて、遠隔管理装置４により、サービス端末６を通じてサービスマンに対して、物件Ｂ１の室内機８ａａを点検・修理するように指示が出される。例えば、図３に示した個体番号関連情報４１とレイアウト画面の情報をリンクさせておくことで、図５（ｂ）に示すように、サービス端末６の表示部４８に、室内機８ａａがどの場所に設置されているかが一目で分かるような表示を行う。
【０１１０】
＜グループ化＞
以上、遠隔管理システム１における異常対策およびその異常対策でのグループの役割について説明してきた。このような異常対策で用いられるグループについては、どのようなグループ化を行ってもある程度の効果は見込める。しかし、グループ化をどのように行うかによって、遠隔管理システム１の異常対応の性能に差が生じることが考えられる。そこで、具体的な方法や例を挙げながらグループ化についてさらに詳しく説明する。
【０１１１】
グループ化による効果としては次のようなものが考えられる。グループ化によって、異常が発生した機器をグループ単位で分析できるようになるため、個々の機器しか分析しない場合に比べて容易に異常の原因などが確定できるという効果が生じると考えられる。また、グループ化して異常時に送信するデータをグループのものに限るとすれば、発生した異常の分析に必要十分な機器の運転データを遠隔管理装置４に送信することができるという効果があると考えられる。それにより通信コストの最適化が図られる。
【０１１２】
以上のことから導き出される結論は、グループ化を行うときには、上述の効果を最大限に引き出せるような構成要素を抽出するように行うのが好ましいということである。
【０１１３】
（グループ化方法）
グループ化の方法としては、例えば次の４つのグループ化の方法が考えられる。第１の方法は、異常の内容、異常の原因あるいは異常コードによるグループ化である。この場合には、同一の異常の内容、同一の異常の原因、あるいは同一の異常コードのものを一つのグループとする。このような場合、異常を生じているものが１台ということが多いが、第１の方法に従えば、異常を生じている１台が１つのグループをつくることになる。1台が1グループをつくることにより、遠隔管理装置４やサービス端末６の側では、他の室内機などに異常の原因が存在する可能性の少ないことを認識することができ、作業の迅速化に役立つ。
【０１１４】
また、同一の異常の内容や同一の異常の原因ばかりでなく、類似する異常の内容や類似する異常の原因や複数の異常コードで一つのグループをつくることもできる。類似するもの同士などでグループをつくる場合には、どのように組合せてグループをつくれば効果的かということを予め実験や過去の事例から決定する。そして、グループは、異常が起これば関連するグループのデータを送付できるように、予め、異常との関連付けが行われ、例えば図３の空気調和装置２ａの室内機8ａａ，8ａｂ…などのグループについては、ローカルコントローラ３ａの記憶部３７のグループ・異常コードの対応関係情報３９に記述される。
【０１１５】
グループ化方法の第２の方法は、使用方法によるグループ化である。第２の方法では、複数の室内機を、同じように使用されているものに分類する。そして、同一の分類に一つのグループを割り当てる。このようにグループ化することで、同一グループの構成要素の正常／異常の比較によって異常の原因を特定し易くなる。例えば、同じ室内空間に設置されているもの、サーバ室に設置されているあるいはオフィスビル各階のトイレに設置されているなど機能が同じ空間（部屋）に設置されているもの、同じ系統に属するもの、またはペリメータ処理・外調処理に利用するなど用途が同じもの等を基準にグループ化する場合が考えられる。
【０１１６】
グループ化方法の第３の方法は、使用時期によるグループ化である。使用時間帯、曜日、使用日時（スケジュール）などが同じものを一つのグループとする。また、第３の方法においても第１の方法と同様に、使用時期が完全に一致するものだけをグループ化する場合だけでなく、使用時期が類似するものを同一のグループに分類してもよい。例えば、オフィスビルなどでの深夜に利用される室内機を一つのグループにする場合などである。
【０１１７】
グループ化方法の第４の方法は、サービス内容に係わるグループ化である。例えば、いわゆる省エネ制御サービスといわれるものが適用されるものを一つのグループとする。ここで、省エネ制御サービスとは、設定された環境にするためにできるだけエネルギー消費を少なくするような制御を予め用意されている複数の制御方法の中から選択して空気調和を実施させる制御である。省エネ制御サービスの場合、例えば設定温度と室内温度の乖離が所定値を超える場合にはエネルギーを省くことよりも快適性を重視して迅速に設定温度との差を解消するような制御に切り替えるような設定がされるのが一般的である。例えば、このような切り替えが頻繁に起こる場合には、異常として認識して運転データとともに遠隔管理装置に報告することが考えられる。その際に、省エネ制御サービスについての異常と判断された室内機をグループとして、そのグループに関連する全ての運転データを報告する。この場合に用いられるグループをつくるためのグループ化が第４の方法に該当する。この第４の方法によるグループの特徴は、ローカルコントローラ３ａなど（監視装置）が異常と判断した室内機を中心にグループ化を行う点である。この第４の方法によりグループ化されたグループについては、第１実施形態による遠隔管理システム１では、ローカルコントローラ３ａ，３ｂ，３ｃ…に異常を認識する機能がないため、ローカルコントローラ３ａ，３ｂ，３ｃ…から遠隔管理装置４に報告を行うことができない。この第４の方法によるグループの報告が可能な遠隔管理システムについては第２実施形態において説明する。
【０１１８】
（グループ化の具体例）
（１）ショーケースの場合
（ｉ）ショーケースの機器接点異常の場合、発生したショーケースに異常が限定される。この場合は、第１の方法でグループ化が行われたグループが用いられる。例えば、ショーケースの機器接点異常を示す異常コードがあるのであれば、その異常コードを発生するものが一つのグループである。もし、異常を発生しているショーケースが図４の室内機８ａａ，８ａｆに相当するものであるとすると、これらのショーケースのみの過去の運転データをローカルコントローラ３ａが遠隔管理装置４に送信する。遠隔管理装置４の方では、２つのショーケースがグループ化されていることで、例えば同じ時期にメンテナンスが行われたなど両方に共通する履歴に気づき易くなり、故障の因果関係を探るのに便利である。また、異常がそれら室内機に特定のもので他の室内機を調べる必要性の小さいことが認識できるので、対象の室内機を集中的に詳細に調べて原因の特定を急ぐことができる。
【０１１９】
（ｉｉ）ゆっくりとしたショーケース温度異常の場合は、ガス漏れ等、室外機や他のショーケースも関連する異常である。ゆっくりとしたショーケース温度異常とは、例えば、ショーケースの３０分ごとの最低温度が６時間で２度上昇するような異常である。この場合は、第２の方法でグループ化が行われたグループが用いられる。ショーケース温度異常に対応するグループは、同一系統に属する室外機と他のショーケースを含むものになる。もし、異常を発生しているショーケースが図４の室内機８ａａに相当するものであるとすると、室外機７ａおよびショーケース８ａａ，８ａｂ…，８ａｆ、８ａｇ…，８ａｍ，８ａｎ…の過去の運転データをローカルコントローラ３ａが遠隔管理装置４に送信する。
【０１２０】
（ｉｉｉ）急激なショーケース温度異常の場合、ショーケースのドアの開放や機器の故障など、発生したショーケースでの異常と考えられる。急激なショーケースの温度異常とは、温度の閾値を１０分以上超過する場合などが該当する。このような場合には、第１の方法でグループ化が行われたグループが用いられ、上述のショーケースの場合（ｉ）と同様の処理が行われる。
【０１２１】
（２）オフィスの空気調和装置の場合
（ｉ）室内機の温度センサ異常など、その室内機自身の異常の場合、第１の方法によるグループが用いられる。この場合、上述のショーケースの場合（ｉ）と同様の処理が行われ、ローカルコントローラから遠隔管理装置に該当室内機のみの運転データが送信される。
【０１２２】
（ｉｉ）室内機のリモートコントローラの設定温度と吸込温度（室温）の乖離が長時間（例えば３時間以上）継続している場合、第２の方法によるグループが用いられる。この場合、同一空間の全ての室内機をグループ化することができる。このようなグループの室内機の過去の運転データを分析することで快適性を評価することができる。例えば、設定温度と吸込み温度の乖離が長時間続いているのが１台だけであれば、この室内機が存在する空間の快適性は損なわれていないと判断できる。逆に、同一空間の大半の室内機が同様の傾向を示していれば、快適性が低下していると判断できる。もし、時間を追う毎に同様の傾向を示す室内機が増えてきているのであれば、時間を追う毎に快適性が低下してきていると判断できる。
【０１２３】
さらに、設定温度と吸込温度の乖離が長時間継続している原因を探る場合には、同じ系統の室外機と室内機をグループに含ませることができる。同じ系統の室外機と室内機をサブグループに含ませることにより、異常原因を抽出するときにはこのサブグループを分析する。同一系統の機器を分析することで、例えば、冷媒の循環量が不足して設定温度と吸込温度が乖離しているなどの原因の特定が容易になる。
【０１２４】
（ｉｉｉ）省エネ制御サービスにより夜間空調停止スケジュールが設定され、夜間の空調電力を削減する制御が行われることがある。そして、このような夜間空調停止スケジュールの期間に室内機で異常が発生する場合がある。このような場合、例えば室内機の温度センサ異常が発生しているとすると、省エネ制御サービスが行われていなければ、第１の方法によりグループ化されたグループの過去の運転データが、例えば図３の室内機８ａａからの通知を受けてローカルコントローラ３ａから遠隔管理装置４に送信される。
【０１２５】
しかし、省エネ制御サービスで夜間空調停止スケジュール中に温度センサ異常が発生するのは、室内機を停止させる制御と矛盾する。そのため、このような場合に備えて、第２の方法によるグループ化も行っておく。つまり、同一の空間の全ての室内機をグループ化する。そして、図３のローカルコントローラ３ａの記憶部３７に例えば夜間空調停止スケジュールの対象となっている室内機が記憶されている。また、ローカルコントローラ３ａのグループ・異常コードの対応関係情報３９には、同一の空間の全ての室内機を含むグループと、夜間空調停止スケジュールの対象になっている室内機について所定の異常（例えば温度センサ異常）の発生とが関連付けて記述されている。さらに、夜間空調停止スケジュールの対象になっている室内機について所定の異常が発生した場合には、第１の方法によってグループ化された所定の異常の通常のグループよりも、夜間空調停止スケジュールの対象となっている室内機の異常に関連付けられたグループを優先する処理を行うよう設定される。それにより、夜間空調停止スケジュールの対象になっている室内機について所定の異常が発生した場合、第１の方法で作成されたグループではなく、第２の方法で作成されたグループについて過去の運転データなどが例えば図３のローカルコントローラ３ａから遠隔管理装置４に送信される。遠隔管理装置４では、このグループに関するデータを用いて、夜間空調停止スケジュールで停止しているはずの室内機で異常が発生した理由について状況確認を行うことができる。
【０１２６】
（ｉｖ）定期的に発生する異常の場合、第３の方法によるグループ化を行う。この場合は、同一スケジュールの室内機を同一のグループとするグループ化を行う。しかし、定期的に異常が発生する場合、発生している異常が定期的なものであるか否かの判断を行わなければならない。そのために、例えば、図３の室内側制御部１９ａの異常コード通知アプリケーション３３ａまたはローカルコントローラ３ａの記憶部３７に記憶させたアプリケーションにより、発生した異常が定期的なものか否かの判断を行う。一例を挙げるとすれば、前回同じ室内機で同じ異常が発生した日時までの期間と、前々回同じ室内機で同じ異常が発生した日時から前回の日時までの期間とを比較して、その差が所定範囲例えば期間の１０％以内なら定期的と判断するなどである。定期的に発生している異常と判断されれば、同一スケジュールの室内機のグループの過去の運転データなどが、例えば図３のローカルコントローラ３ａから遠隔管理装置４に送信される。
【０１２７】
（ｖ）省エネ制御サービスについて解除指令が頻発し、省エネ制御サービスが提供できない状態が継続することがある。このような省エネ制御サービスの解除指令が頻発する場合には、第４の方法によるグループ化が行われる。第４の方法によるグループ化では、ローカルコントローラ3ａなどが異常と判断した室内機をグループ化する。また、サブグループとして、異常と判断された室内機と同一空間の全ての室内機をグループ化するという、第２の方法によるグループ化を合わせて行うことができる。
【０１２８】
このようなグループを用いることで、遠隔管理装置４においては、省エネ制御サービスの対象となっている室内機についての分析を行うことができる。そしてさらに、解除指令が頻発している室内機と同一空間の全ての室内機を分析することができる。さらに、その特定された室内機が属する同一空間の全ての室内機を分析することで、予想される省エネ制御サービスの解除の原因の検証を行うことができる。
【０１２９】
ただし、省エネ制御サービスについて解除指令が発せられたことは、室外側制御部１８や室内側制御部１９ａ，１９ｂ…などでは検知することができない。そのため、ローカルコントローラ３ａに、省エネ制御サービスについて解除指令が発せられたことを異常として認識するアプリケーションが必要になる。そのため、第１実施形態の遠隔管理システム１ではこのようなグループに対応することはできないので、第２実施形態に示すような構成を持つ遠隔管理システムが必要になる。
【０１３０】
−第２実施形態−
本発明の第２実施形態に係る遠隔管理システムについて図６および図７を用いて説明する。図６に示す第２実施形態の遠隔管理システム１Ａも、図３の第１実施形態の遠隔管理システム１と同様に、空気調和装置２ａの室外側制御部１８と室内側制御部１９ａ，１９ｂ…とローカルコントローラ３ａＡと遠隔管理装置４とを備えている。
【０１３１】
第２実施形態の遠隔管理システム１Ａが第１実施形態の遠隔管理システム１と異なるところは、ローカルコントローラ３ａＡの構成である。第２実施形態の遠隔管理システム１Ａにおいて、ローカルコントローラ３ａＡの構成以外のところ、すなわち管理対象と遠隔管理システム１Ａとの関係は第１実施形態とほぼ同じであり、空気調和装置２ａの構成も第１実施形態と同様である。従って、以下の説明においては、第２実施形態の遠隔管理システム１Ａのローカルコントローラ３ａＡを中心に説明する。
【０１３２】
第２実施形態のローカルコントローラ３ａＡが第１実施形態のローカルコントローラ３ａＡと構成において異なる点は、記憶部３７Ａには、第１実施形態のローカルコントローラ３ａの記憶部３７に存在しなかった異常コード通知アプリケーション５０と個体番号通知アプリケーション５１とを備えている点である。
【０１３３】
上述のグループ化のところでも説明したように、サービス内容に関してグループ化を行った場合（グループ化の第４の方法）には、サービス内容に関する異常を発生している室内機を中心にグループ化が行われる。
【０１３４】
この場合に重要な点は、サービス内容に関する情報を持たない室内側制御部１９ａ，１９ｂ…では、サービス内容に関する異常が検知できないということである。図６を用いて説明すると、サービス内容に関する情報は、ローカルコントローラ３ａＡの記憶部３７Ａに記憶されている。例えば、室内機８ａａ，８ａｂ…の中で省エネ制御サービスの対象となっている室内機は、記憶部３７Ａに記憶されており、省エネ制御サービスの設定・解除は、ローカルコントローラ３ａＡで行われる。
【０１３５】
ここでは、省エネ制御サービスが頻繁に解除される事柄を異常とする場合を例にしてサービス内容に関する異常とグループとの関係について説明する。まず、省エネ制御サービスが頻繁に解除される異常を定義して、ローカルコントローラ３ａＡで異常を検知する方方の一例を示す。ここでは、空気調和装置２ａについて一日に１０回以上省エネ制御サービスが解除される場合を異常とする。この条件は、ローカルコントローラ３ａＡの記憶部３７Ａの異常コード通知アプリケーション５０に記述されている。そのため、室内機・室外機の状態情報３８に記憶されている過去の運転データを参照して、一日に１０回の省エネ制御サービスの解除があったと判断された場合には、異常コード通知アプリケーション５０により、省エネ制御サービスにおける異常が検知される。なお、ここでは、取得したばかりの最新の運転データも、処理のためには、ローカルコントローラ３ａＡの記憶部３７に記憶されるのであるから、過去の運転データの一形態とみなしている。
【０１３６】
このような省エネ制御サービスの異常が検知されると、異常コード通知アプリケーション５０により個体番号通知アプリケーション５１が起動され、個体番号通知アプリケーション５１に異常コード通知アプリケーション５０から解除のあった室内機の情報が与えられる。それにより、個体番号通知アプリケーション５１は、省エネ制御サービスの解除のあった室内機の個体番号を通知できる状態になる。
【０１３７】
ローカルコントローラ３ａＡは、省エネ制御サービスの異常検知を受けて、この異常とグループとの対応関係を抽出する。省エネ制御サービスの異常には、異常コードが割り当てられている。ローカルコントローラ３ａＡは、省エネ制御サービスの異常コードと、個体番号通知アプリケーション５１が通知する個体番号を使って、グループ・異常コードの対応関係情報３９から対応するグループを特定する。
【０１３８】
そして、ローカルコントローラ３ａＡは、対応するグループに属する室外機と室内機の過去の運転データを室内機・室外機の状態情報３８から抽出し、グループの識別情報や異常コードや個体番号とともに、図７に示すように、遠隔管理装置４に送信する。
【０１３９】
このときのグループは、ローカルコントローラ３ａＡが異常有りと判定した室内機とその室内機が属する系統の室外機と室内機から構成される。異常が発生している室内機と同一空間の全室内機の過去の運転データを分析することで、遠隔管理装置４の側で省エネ制御サービスの解除頻発の原因についてより詳細に検討を加えることができる。
【０１４０】
第２実施形態の遠隔管理システム１Ａについて、第１実施形態で説明したように室内機８ａａなどで異常が発生した場合には、第１実施形態の遠隔管理システム１と同様の動作を行える。第１実施形態の遠隔管理システム１の全ての機能を第２実施形態の遠隔管理システム１Ａが備えているが、ここでは、説明の重複を避けるため、第２実施形態の遠隔管理システム１Ａが有する第１実施形態の遠隔管理システム１の機能については説明を省略する。
＜変形例＞
（ａ）
上記第１実施形態の説明では、グループ・異常コードの対応関係情報３９は、ローカルコントローラ３ａの記憶部３７に記憶する場合について説明したが、ローカルコントローラ３ａ以外の記憶部に持たせてもよい。例えば、遠隔管理装置４に持たせることができるが、この場合は、グループに応じて異常発報におけるデータ量の削減を行うことはできない。また、室外側制御部１８や室内側制御部１９ａ，１９ｂ…に持たせることもできるが、これらの制御用配線基板などの故障の場合が考えられる。そのため、室外機７ａと室内機８ａａ，８ａｂ…の全ての故障を関しつつグループと異常コードの対応関係を把握するには、ローカルコントローラ３ａにグループ・異常コードの対応関係情報３９を置く方が便利である。
【０１４１】
（ｂ）
上記第１実施形態では、室内機８ａａ，８ａｂ…に個体番号通知アプリケーション３４ａ，３４ｂ…を設ける場合について説明したが、室外機７ａが異常コードを通知してきた室内機８ａａ，８ａｂ…を通信ネットワーク１０ａのアドレスなどで特定できるのであれば、室外機７ａに個体番号通知アプリケーションを記憶させ、室外機７ａが個体番号を通知するようにしてもよい。
【０１４２】
（ｃ）
上記実施形態では、異常が発生している個体に関連する情報として、遠隔管理サーバ４ａが個体番号関連情報４１を、グループ関連情報４３とは別に記憶し手いる場合について説明したが、グループ関連情報４３に個体に関する情報を含ませることによって個体番号関連情報４１を省いてもよい。
＜実施形態の特徴＞
（１）
本発明の第１実施形態および第２実施形態による遠隔管理システム１，１Ａでは、個体番号通知アプリケーション３４ａ，３４ｂ…により室外側制御部１８を経由してローカルコントローラ３ａ，３ａＡ（監視装置）から送信された個体番号（個体識別情報）により、遠隔管理装置４が一つの系統に属する多数の室内機８ａａ，８ａｂ…８ｂａ，８ｂｂ…、８ｃａ，８ｃｂ…中から、異常が発生した個体を識別することができる。それにより、異常が発生している室内機８ａａが設置されている遠隔地（物件Ｂ１）で作業をするサービスマンなどに対して、遠隔管理装置４のオペレータが、異常のある例えば室内機８ａａを特定して指示を出すことができる。
【０１４３】
（２）
ローカルコントローラ３ａ，３ａＡ（監視装置）の記憶部３７，３７Ａ（記憶装置）に記憶しているグループ・異常コードの対応関係情報３９により、個体番号とともに、異常コードに対応したグループコードを送信できるので、空気調和装置２ａの異常に対処するために必要十分な識別情報を送信することができる。それにより、異常対応作業を的確に行え、作業の迅速化が図られる。
【０１４４】
（３）
ローカルコントローラ３ａ，３ａＡ（監視装置）により、異常発報に含まれる情報（異常情報）の中から、異常に関係する室内機８ａａ，８ａｂ…（個体）やグループに関連のない情報が除かれるので、ローカルコントローラ３ａ，３ａＡから遠隔管理装置４に送信される情報量が削減できる。
【０１４５】
（４）
ローカルコントローラ３ａ，３ａＡにより、同一の室内機８ａａを複数のグループＧ１，Ｇ４に割り付けることで、室内機８ａａを複数のグループＧ１，Ｇ４に重複して所属させることができる。このように一つの室内機８ａａを同時に複数のグループＧ１，Ｇ４に所属させるようにすることで、異常の種類や発生状況に合わせた柔軟な対応が可能になる。
【０１４６】
（５）
遠隔管理装置４のグループ・異常コードの対応関係情報書換アプリケーション４４（書換手段）により、グループと異常コード（異常識別情報）との対応関係を書き換えられるため、最初の試運転などの際に詳しく条件出しなどを行う作業を省き、必要に応じて試運転後に遠隔管理装置４から書き換えを行える。
【０１４７】
（６）
サービス端末６（受信装置）により、遠隔管理装置４の遠隔管理サーバ４ａ（送信手段）から送られてくる個体番号（個体識別情報）をサービスマンなどが受信して、異常のある室内機８ａａ，８ａｂ…を特定することができる。それにより、サービスマンなどは異常のある室内機の特定を迅速に行える。特に、個体番号に関連する個体番号関連情報４１にも続いて個体番号が示す室内機の状況を通知することがサービスマンの理解を助けるのに効果的である。
【符号の説明】
【０１４８】
１，１Ａ  遠隔管理システム
２ａ，２ｂ，２ｃ  空気調和装置
３ａ，３ｂ，３ｃ，３ａＡ  ローカルコントローラ（監視装置）
４  遠隔管理装置
５  通信回線
６  サービス端末（受信手段）
７ａ，７ｂ，７ｃ，７ｄ，７ｅ  室外機
８ａａ，８ａｂ，８ｂａ、８ｂｂ、８ｃａ、８ｃｂ，８ｄａ，８ｄｂ，８ｅａ，８ｅｂ  室内機
【先行技術文献】
【特許文献】
【０１４９】
【特許文献１】特開２００８−５１３５７号公報